(57)【要約】【課題】  通信相手に依存する生体情報を取得可能な通信装置、通信方法、通信プログラムおよびそれを用いた通信システムを提供する。【解決手段】  使用者による入力操作部１１の操作に基づいて制御部１０により無線通信部３０およびアンテナ３１の動作が制御される。これにより使用者は通信相手との間で会話および電子メールに関する情報の送受信を行うことができる。また、使用者が携帯電話機１００の入力操作部１１により通信相手（通話相手）に対する通信に関連する操作を行っているときまたは使用者が無線通信部３０およびアンテナ３１により通信相手と通信を行っているときに、使用者の生体情報が検出されるように生理量データ測定部２０、すなわち、電極２０ａ，２０ｄ、サーミスタ２０ｂおよびフォトセンサ２０ｃが制御部１０により制御される。【選択図】        図２
2005244375.tif 000002
【特許請求の範囲】
【請求項１】
情報の通信を行う通信手段と、
前記通信手段による通信に関連する操作を行うために使用者により操作される操作手段と、
使用者の生体情報を検出するための検出手段と、
前記操作手段の操作に基づいて前記通信手段の動作を制御するとともに、使用者による前記操作手段の操作時または前記通信手段による通信時に使用者の生体情報を検出するように前記検出手段を制御する制御手段とを備えることを特徴とする通信装置。
【請求項２】
前記通信手段は、前記情報として音声を音声信号として送信および受信する通話手段を含み、
前記制御手段は、前記通話手段による使用者の通話時に使用者の生体情報を検出するように前記検出手段を制御することを特徴とする請求項１記載の通信装置。
【請求項３】
前記通話手段による使用者の発声時を判別する判別手段をさらに備え、
前記制御手段は、前記通話手段による使用者の発声時に使用者の生体情報を検出するように前記検出手段を制御することを特徴とする請求項２記載の通信装置。
【請求項４】
前記通話手段により受信された音声信号に基づいて通話相手からの質問を示す音声を判別する判別手段をさらに備え、
前記制御手段は、前記判別手段により質問を示す音声が判別されたときに使用者の生体情報を検出するように前記検出手段を制御することを特徴とする請求項２または３記載の通信装置。
【請求項５】
前記通信手段は、前記情報として電子メールをデータ信号として送信および受信する電子メール通信手段を含み、
前記操作手段は、電子メールの作成、送信、受信または閲覧するための操作を行う電子メール操作部を含み、
前記制御手段は、使用者による前記電子メール操作部の操作時に使用者の生体情報を検出するように前記検出手段を制御することを特徴とする請求項１〜４のいずれかに記載の通信装置。
【請求項６】
前記検出手段により検出された生体情報に基づいて使用者の心理状態を推定する推定手段と、
前記推定手段により推定された前記使用者の心理状態を示す情報を前記電子メール操作部により作成される電子メールに挿入する挿入手段とをさらに備えたことを特徴とする請求項５記載の通信装置。
【請求項７】
前記検出手段により検出された生体情報に基づいて使用者の心理状態を推定する推定手段をさらに備えることを特徴とする請求項１〜５のいずれかに記載の通信装置。
【請求項８】
前記推定手段は、前記検出手段により検出された生体情報に基づいて前記使用者の心理状態として使用者の緊張度合いを推定することを特徴とする請求項７記載の通信装置。
【請求項９】
前記推定手段は、前記検出手段により検出された生体情報に基づいて前記使用者の心理状態として使用者のうそを推定することを特徴とする請求項７または８記載の通信装置。
【請求項１０】
前記推定手段は、前記検出手段により検出された生体情報に基づいて前記使用者の心理状態として使用者の喜怒哀楽を推定することを特徴とする請求項７〜９のいずれかに記載の通信装置。
【請求項１１】
前記推定手段により推定された前記使用者の心理状態を示す情報を音声として出力する音声出力手段をさらに備えたことを特徴とする請求項７〜１０のいずれかに記載の通信装置。
【請求項１２】
前記推定手段により推定された前記使用者の心理状態を示す情報を表示する表示手段をさらに備えたことを特徴とする請求項７〜１１のいずれかに記載の通信装置。
【請求項１３】
前記推定手段により推定された前記使用者の心理状態を変化させるための情報を出力する情報出力手段をさらに備えたことを特徴とする請求項７〜１２のいずれかに記載の通信装置。
【請求項１４】
前記推定手段により推定された前記使用者の心理状態を相手ごとに記憶する記憶手段をさらに備えたことを特徴とする請求項７〜１３のいずれかに記載の通信装置。
【請求項１５】
前記通信手段は、着信時に使用者に着信を認識されるための着信動作を行い、
前記制御手段は、前記記憶手段に記憶された前記使用者の心理状態に基づいて前記通信手段による着信動作を制御することを特徴とする請求項１４記載の通信装置。
【請求項１６】
環境状態を示す環境情報を取得する取得手段と、
前記取得手段により取得された環境情報に基づいて前記検出手段により検出された前記使用者の生体情報の変化状態を補正する補正手段とをさらに備えたことを特徴とする請求項１〜１５のいずれかに記載の通信装置。
【請求項１７】
前記検出手段による生体情報の検出時に使用者の音声を記録する音声記録手段をさらに備えたことを特徴とする請求項１〜１６のいずれかに記載の通信装置。
【請求項１８】
前記検出手段により検出された生体情報が所定のしきい値を超えたか否かを判定する判定手段をさらに備え、
前記音声記録手段は、前記判定手段により生体情報が所定のしきい値を超えたと判定された場合に、しきい値を超えた時点を含む所定時間の使用者の音声を記録することを特徴とする請求項１７記載の通信装置。
【請求項１９】
情報の通信を行う通信手段および前記通信手段による通信に関連する操作を行うために使用者により操作される操作手段とを備えた通信装置の動作方法であって、
前記操作手段の操作に基づいて前記通信手段の動作を制御するとともに、使用者による前記操作手段の操作時または前記通信手段による通信時に使用者の生体情報を検出することを特徴とする通信装置の動作方法。
【請求項２０】
情報の通信を行う通信手段および前記通信手段による通信に関連する操作を行うために使用者により操作される操作手段、前記操作手段の操作に基づいて前記通信手段を制御する処理装置を備えた通信装置に用いられ、前記処理装置により実行可能な通信プログラムであって、
前記操作手段の操作に基づいて前記通信手段の動作を制御する処理と、
前記操作手段の操作時または前記通信手段による通信時に使用者の生体情報を検出する処理とを、前記処理装置に実行させることを特徴とする通信プログラム。
【請求項２１】
使用者用の第１の通信装置と、
診断者用の第２の通信装置と、
診断者用の情報処理装置とを備え、
前記第１の通信装置は、
前記第２の通信装置との通話および前記情報処理装置との情報の通信を行う通信手段と、
前記通信手段による前記第２の通信装置との通話時に使用者の生体情報を検出するための検出手段とを備え、
前記通信手段は、前記検出手段により検出される生体情報に基づく情報を前記情報処理装置に送信し、
前記第２の通信装置または前記情報処理装置は、前記情報処理装置により受信された情報に基づく診断者のアドバイスを前記第１の通信装置に送信することを特徴とする通信システム。
【請求項２２】
情報の通信を行う通信手段と、
前記通信手段による通信に関連する操作を行うために使用者により操作される操作手段と、
使用者の生体情報を検出するための検出手段と、
前記通信手段、前記操作手段および前記検出手段を一体的に保持する筐体とを備え、
前記筐体は、前面部、背面部、一方の側面部および他方の側面部を有するとともに前記一方の側面部、前記背面部および前記他方の側面部を片手で保持可能に形成され、
前記操作手段は前記前面部に設けられ、前記検出手段は前記一方の側面部に設けられたことを特徴とする通信装置。
【発明の詳細な説明】
【技術分野】
【０００１】
本発明は、種々の情報の授受を行うための通信装置、通信方法、通信プログラムおよびそれを用いた通信システムに関する。
【背景技術】
【０００２】
近年、ストレスに代表されるように人間の心理状態に対する注目が高まっている。それとともに、手軽に心理状態を推定し、推定された心理状態に応じて使用者の心理状態をより安定した状態に誘導するための装置が案出されている。
【０００３】
例えば、皮膚電気抵抗値に基づいてストレス状態を測定し、測定されたストレス状態をセンターサーバとの間で送受信することにより使用者のストレス度合いを推定し、推定されたストレス度合いに基づいて使用者へのリラックス情報を提示する携帯通信機が提案されている（例えば、特許文献１参照）。
【特許文献１】特開２００３−１５３９０５号公報
【発明の開示】
【発明が解決しようとする課題】
【０００４】
ところで、人間の心理状態は様々な局面で変化する。特に、人間の心理状態は外部からの影響を受けやすい。例えば、人間は、嫌悪感を有する他人と会話する場合と好意を有する他人と会話する場合とでは、心理状態が異なる。
【０００５】
しかしながら、上記の携帯通信機では、会話の相手に依存して変化するストレス状態を測定することはできない。
【０００６】
また、上記の携帯通信機では、医者等の診断者との会話により得られる診断結果に基づくアドバイスを受けることは困難である。
【０００７】
さらに、人間の生体情報の測定は使用者が測定状態にあることを意識しないように行うことが好ましい。しかしながら、上記の携帯通信機では、使用者は皮膚電気抵抗値の測定時に、入力手段の下部に設けられた電極に指を置く必要がある。したがって、使用者は自己が皮膚電気抵抗値の測定を行っていることを意識せざるを得ない。
【０００８】
本発明の目的は、通信相手に依存する生体情報を取得可能な通信装置、通信方法、通信プログラムおよびそれを用いた通信システムを提供することである。
【０００９】
本発明の他の目的は、診断者との会話による診断結果に基づくアドバイスを容易に取得することができる通信システムを提供することである。
【００１０】
本発明の他の目的は、使用者が意識することなく生体情報を簡単に検出することができる通信装置を提供することである。
【課題を解決するための手段】
【００１１】
第１の発明に係る通信装置は、情報の通信を行う通信手段と、通信手段による通信に関連する操作を行うために使用者により操作される操作手段と、使用者の生体情報を検出するための検出手段と、操作手段の操作に基づいて通信手段の動作を制御するとともに、使用者による操作手段の操作時または通信手段による通信時に使用者の生体情報を検出するように検出手段を制御する制御手段とを備えるものである。
【００１２】
本発明に係る通信装置においては、使用者による操作手段の操作に基づいて制御手段により通信手段の動作が制御される。また、使用者が通信装置の操作手段により任意の相手に対する通信に関連する操作を行っているときまたは使用者が通信手段により任意の相手に通信を行っているときに、使用者の生体情報が検出されるように検出手段が制御手段により制御される。したがって、使用者が意識する相手に依存する生体情報を取得することができる。
【００１３】
通信手段は、情報として音声を音声信号として送信および受信する通話手段を含み、制御手段は、通話手段による使用者の通話時に使用者の生体情報を検出するように検出手段を制御してもよい。
【００１４】
この場合、使用者が通話手段により任意の通話相手と音声による通話を行っているときに、使用者の生体情報が検出される。それにより、通話相手に依存する生体情報を取得することができる。
【００１５】
通信装置は、通話手段による使用者の発声時を判別する判別手段をさらに備え、制御手段は、通話手段による使用者の発声時に使用者の生体情報を検出するように検出手段を制御してもよい。
【００１６】
この場合、通話手段による使用者の発声時が判別手段により判別され、使用者の発声時に使用者の生体情報が検出される。それにより、通話相手および通話内容に依存する生体情報を取得することができる。
【００１７】
通信装置は、通話手段により受信された音声信号に基づいて通話相手からの質問を示す音声を判別する判別手段をさらに備え、制御手段は、判別手段により質問を示す音声が判別されたときに使用者の生体情報を検出するように検出手段を制御してもよい。
【００１８】
この場合、通話手段により受信された音声信号に基づいて通話相手からの質問を示す音声が判別手段により判別され、質問を示す音声が判別されたときに使用者の生体情報が検出される。それにより、通話相手および通話内容に依存する生体情報を取得することができる。
【００１９】
通信手段は、情報として電子メールをデータ信号として送信および受信する電子メール通信手段を含み、操作手段は、電子メールの作成、送信、受信または閲覧するための操作を行う電子メール操作部を含み、制御手段は、使用者による電子メール操作部の操作時に使用者の生体情報を検出するように検出手段を制御してもよい。
【００２０】
この場合、使用者が電子メール操作部を操作することにより任意の相手に送信する電子メールの作成または送信を行っているとき、または任意の相手からの電子メールを受信または閲覧しているときに、使用者の生体情報が検出される。それにより、電子メールの相手または電子メールの内容に依存する生体情報を取得することができる。
【００２１】
通信装置は、検出手段により検出された生体情報に基づいて使用者の心理状態を推定する推定手段と、推定手段により推定された使用者の心理状態を示す情報を電子メール操作部により作成される電子メールに挿入する挿入手段とをさらに備えてもよい。
【００２２】
この場合、検出手段により検出された生体情報に基づいて使用者の心理状態が推定手段により推定される。そして、推定された使用者の心理状態を示す情報が電子メール操作部により作成される電子メールに挿入手段により挿入される。その結果、使用者の心理状態を示す情報が挿入された電子メールが相手に送信される。
【００２３】
通信装置は、検出手段により検出された生体情報に基づいて使用者の心理状態を推定する推定手段をさらに備えてもよい。
【００２４】
この場合、検出手段により検出された生体情報に基づいて使用者の心理状態が推定手段により推定される。それにより、通信相手に依存した使用者の心理状態を認識することができる。
【００２５】
推定手段は、検出手段により検出された生体情報に基づいて使用者の心理状態として使用者の緊張度合いを推定してもよい。
【００２６】
この場合、検出手段により検出された生体情報に基づいて使用者の緊張度合いが推定手段により推定される。それにより、通信相手に依存した使用者の緊張度合いを認識することができる。
【００２７】
推定手段は、検出手段により検出された生体情報に基づいて使用者の心理状態として使用者のうそを推定してもよい。
【００２８】
この場合、検出手段により検出された生体情報に基づいて使用者のうそが推定手段により推定される。それにより、通信相手に依存した使用者のうそを認識することができる。
【００２９】
推定手段は、検出手段により検出された生体情報に基づいて使用者の心理状態として使用者の喜怒哀楽を推定してもよい。
【００３０】
この場合、検出手段により検出された生体情報に基づいて使用者の喜怒哀楽が推定手段により推定される。それにより、通信相手に依存した使用者の喜怒哀楽を認識することができる。
【００３１】
通信装置は、推定手段により推定された使用者の心理状態を示す情報を音声として出力する音声出力手段をさらに備えてもよい。
【００３２】
この場合、推定手段により推定された使用者の心理状態を示す情報が音声出力手段により音声として出力される。それにより、使用者は、通信相手に依存する心理状態を容易に認識することができる。
【００３３】
通信装置は、推定手段により推定された使用者の心理状態を示す情報を表示する表示手段をさらに備えてもよい。
【００３４】
この場合、推定手段により推定された使用者の心理状態を示す情報が表示手段により表示される。それにより、使用者は、通信相手に依存する心理状態を容易に認識することができる。
【００３５】
通信装置は、推定手段により推定された使用者の心理状態を変化させるための情報を出力する情報出力手段をさらに備えてもよい。
【００３６】
この場合、推定手段により推定された使用者の心理状態に基づいて使用者の心理状態を変化させるための情報が情報出力手段により出力される。それにより、通信相手に依存する使用者の心理状態を変化させることができる。
【００３７】
通信装置は、推定手段により推定された使用者の心理状態を相手ごとに記憶する記憶手段をさらに備えてもよい。
【００３８】
この場合、推定手段により推定された使用者の心理状態が記憶手段により相手ごとに記憶される。それにより、使用者は、記憶手段の記憶内容に基づいて相手に依存する心理状態および心理状態の履歴を容易に確認することができる。
【００３９】
通信手段は、着信時に使用者に着信を認識されるための着信動作を行い、制御手段は、記憶手段に記憶された使用者の心理状態に基づいて通信手段による着信動作を制御していもよい。
【００４０】
この場合、記憶手段に記憶された使用者の心理状態に基づいて通信手段による着信動作が制御される。それにより、使用者は、着信時に発信相手に依存する心理状態を着信動作により容易に認識することができる。
【００４１】
通信装置は、環境状態を示す環境情報を取得する取得手段と、取得手段により取得された環境情報に基づいて検出手段により検出された使用者の生体情報の変化状態を補正する補正手段とをさらに備えてもよい。ここで変化状態とは、例えば変化量、変化の勾配、ある特定時間内における変化量の累積、変化のばらつき等がある。
【００４２】
この場合、環境状態を示す環境情報が取得手段により取得され、取得された環境情報に基づいて検出された使用者の生体情報の変化量等が補正手段により補正される。それにより、環境状態に応じて変化する使用者の生体情報の変化量等を正確に取得することができるとともに、使用者の心理状態の推定精度を向上することができる。
【００４３】
通信装置は、検出手段による生体情報の検出時に使用者の音声を記録する音声記録手段をさらに備えてもよい。
【００４４】
この場合、検出手段による生体情報の検出時に使用者の音声が音声記録手段により記録される。それにより、使用者は、相手に依存する使用者の音声の状態を記録内容に基づいて容易に把握することができる。
【００４５】
通信装置は、検出手段により検出された生体情報が所定のしきい値を超えたか否かを判定する判定手段をさらに備え、音声記録手段は、判定手段により生体情報が所定のしきい値を超えたと判定された場合に、しきい値を超えた時点を含む所定時間の使用者の音声を記録してもよい。
【００４６】
この場合、検出手段により検出された生体情報が所定のしきい値を超えたか否かが判定手段により判定され、生体情報が所定のしきい値を超えたと判定された場合に、しきい値を超えた時点を含む所定時間の使用者の音声が音声記録手段により記録される。それにより、使用者は、相手に依存して生体情報が大きく反応した場合の音声の状態を記録内容により容易に把握することができる。
【００４７】
第２の発明に係る通信装置の動作方法は、情報の通信を行う通信手段および通信手段による通信に関連する操作を行うために使用者により操作される操作手段とを備えた通信装置の動作方法であって、操作手段の操作に基づいて通信手段の動作を制御するとともに、使用者による操作手段の操作時または通信手段による通信時に使用者の生体情報を検出するものである。
【００４８】
本発明に係る通信装置の動作方法においては、使用者による操作手段の操作に基づいて通信手段の動作が制御される。また、使用者が通信装置の操作手段により任意の相手に対する通信に関連する操作を行っているときまたは使用者が通信手段により任意の相手に通信を行っているときに、使用者の生体情報が検出されるように検出手段が制御される。したがって、通信相手に依存する生体情報を取得することができる。
【００４９】
第３の発明に係る通信プログラムは、情報の通信を行う通信手段および通信手段による通信に関連する操作を行うために使用者により操作される操作手段、操作手段の操作に基づいて通信手段を制御する処理装置を備えた通信装置に用いられ、処理装置により実行可能な通信プログラムであって、操作手段の操作に基づいて通信手段の動作を制御する処理と、操作手段の操作時または通信手段による通信時に使用者の生体情報を検出する処理とを、処理装置に実行させるものである。
【００５０】
本発明に係る通信プログラムによれば、使用者による操作手段の操作に基づいて通信手段の動作が制御される。また、使用者が通信装置の操作手段により任意の相手に対する通信に関連する操作を行っているときまたは使用者が通信手段により任意の相手に通信を行っているときに、使用者の生体情報が検出されるように検出手段が制御される。したがって、通信相手に依存する生体情報を取得することができる。
【００５１】
第４の発明に係る通信システムは、使用者用の第１の通信装置と、診断者用の第２の通信装置と、診断者用の情報処理装置とを備え、第１の通信装置は、第２の通信装置との通話および情報処理装置との情報の通信を行う通信手段と、通信手段による第２の通信装置との通話時に使用者の生体情報を検出するための検出手段とを備え、通信手段は、検出手段により検出される生体情報に基づく情報を情報処理装置に送信し、第２の通信装置または情報処理装置は、情報処理装置により受信された情報に基づく診断者のアドバイスを第１の通信装置に送信するものである。
【００５２】
本発明に係る通信システムにおいては、使用者が第１の通信装置の通信手段により第２の通信装置を有する診断者と通話を行っているときに、検出手段により使用者の生体情報が検出される。そして、通信手段による診断者との通話中または通話終了後に、検出された生体情報に基づく情報が通信手段により情報処理装置に送信される。それにより、診断者は、情報処理装置に送信された情報に基づいて使用者の健康状態を診断することができる。ここで、健康状態とは、身体面での健康状態と精神面での健康状態との両方を含み、以下では、単に健康状態と記述する。
【００５３】
診断者は、診断結果に基づくアドバイスを第２の通信装置による通話または情報処理装置による情報の通信により第１の通信装置に送信することができる。それにより、使用者は、診断者との会話による診断結果に基づくアドバイスを容易に受けることができる。
【００５４】
なお、第２の通信装置と情報処理装置とが一体的に設けられてもよい。
【００５５】
第５の発明に係る通信装置は、情報の通信を行う通信手段と、通信手段による通信に関連する操作を行うために使用者により操作される操作手段と、使用者の生体情報を検出するための検出手段と、通信手段、操作手段および検出手段を一体的に保持する筐体とを備え、筐体は、前面部、背面部、一方の側面部および他方の側面部を有するとともに一方の側面部、背面部および他方の側面部を片手で保持可能に形成され、操作手段は前面部に設けられ、検出手段は一方の側面部に設けられたものである。
【００５６】
本発明に係る通信装置においては、使用者による操作手段の操作に基づいて制御手段により通信手段の動作が制御される。使用者は、通信装置の筐体を片手で保持しつつ他の手で操作手段を操作することができる。このとき、使用者の手が筐体の側面部の検出手段に触れることにより使用者の生体情報が検出される。
【００５７】
したがって、使用者が意識することなく生体情報を簡単に検出することができる。
【００５８】
なお、筐体の前面部、背面部、一方の側面部および他方の側面部は、それぞれ平面状に限らず、曲面状に形成されてもよく、前面部、背面部、一方の側面部および他方の側面部のうち２以上が曲面で連続していてもよい。
【発明の効果】
【００５９】
本発明に係る通信装置、通信方法、通信プログラムによれば、使用者による操作手段の操作に基づいて制御手段により通信手段の動作が制御される。また、使用者が通信装置の操作手段により任意の相手に対する通信に関連する操作を行っているときまたは使用者が通信手段により任意の相手に通信を行っているときに、使用者の生体情報が検出されるように検出手段が制御手段により制御される。したがって、使用者が意識する相手に依存する生体情報を取得することができる。
【００６０】
また、本発明に係る通信システムによれば、使用者が第１の通信装置の通信手段により第２の通信装置を有する診断者と通話を行っているときに、検出手段により使用者の生体情報が検出される。そして、通信手段による診断者との通話中または通話終了後に、検出された生体情報に基づく情報が通信手段により情報処理装置に送信される。それにより、診断者は、情報処理装置に送信された情報に基づいて使用者の健康状態を診断することができる。
【００６１】
診断者は、診断結果に基づくアドバイスを第２の通信装置による通話または情報処理装置による情報の通信により第１の通信装置に送信することができる。それにより、使用者は、診断者との会話による診断結果に基づくアドバイスを容易に受けることができる。
【００６２】
さらに、本発明に係る通信装置によれば、使用者による操作手段の操作に基づいて制御手段により通信手段の動作が制御される。使用者は、通信装置の筐体を片手で保持しつつ他の手で操作手段を操作することができる。このとき、使用者の手が筐体の側面部の検出手段に触れることにより使用者の生体情報が検出される。
【００６３】
したがって、使用者が意識することなく生体情報を簡単に検出することができる。
【発明を実施するための最良の形態】
【００６４】
以下、本発明の一実施の形態に係る通信装置、通信方法、通信プログラムおよびそれを用いた通信システムについて説明する。下記では、本発明の一実施の形態に係る通信装置の一例として、携帯電話機について説明する。以下の説明に係る携帯電話機は、本来の電話の機能に加えて、使用者の生体情報を検出する機能を有する。
【００６５】
なお、以下の説明において、通信とは、音声による通話、電子メールの送受信およびインターネットを介してのサイトへの接続を含む。
【００６６】
ここで、使用者の生体情報とは、使用者の音声に関する音声データおよび使用者の皮膚温度、脈拍、ＧＳＲ（皮膚電気反射）等の客観的に測定可能な生理量データから得られる生体に関する情報である。以下の説明において、生理量データは使用者の皮膚温度、脈拍およびＧＳＲの測定結果である。
【００６７】
（第１の実施の形態）
図１は第１の実施の形態に係る携帯電話機の外観図である。図１に示すように本実施の形態に係る携帯電話機１００は、第１の筐体１および第２の筐体２から形成されている。第１の筐体１および第２の筐体２はともに略直方体形状を有し、第１の筐体１の下端と第２の筐体２の上端とがヒンジ３により接続されている。これにより、第１の筐体１は、ヒンジ３を中心として、第２の筐体２に対して矢印の方向に折り畳み可能である。
【００６８】
第１の筐体１および第２の筐体２の折り畳み時に互いに対向する側の面を前面と呼ぶ。また、第１の筐体１および第２の筐体２の前面と反対側の面を背面と呼ぶ。
【００６９】
図１（ａ）に示すように、第１の筐体１の前面中央には後述の各種情報を表示するためのメイン表示部１３が設けられている。メイン表示部１３の上部には、通話用スピーカ１５ｂが設けられている。メイン表示部１３は、例えば、液晶ディスプレイまたは有機エレクトロルミネッセンスディスプレイ等からなる。なお、メイン表示部１３は画像または文字等を表示できるものであれば、これらに限定されない。
【００７０】
一方、第２の筐体２の前面中央には入力操作部１１が設けられている。入力操作部１１は、複数の数字ボタン、複数の動作設定ボタン、カーソルボタンＫＫおよび決定ボタンＫＳ等を含む。使用者が入力操作部１１を操作することにより携帯電話機１００が所定の動作を行う。入力操作部１１の下部には、マイクロホン１６が設けられている。
【００７１】
第２の筐体２の側面には生理量データ測定部２０が設けられている。図１（ａ）においては、第２の筐体２の両側面に使用者のＧＳＲを測定するための２つの電極２０ａ，２０ｄが設けられている。また、第２の筐体２の一側面には、電極２０ａとともに、使用者の皮膚温度を測定するためのサーミスタ２０ｂおよび使用者の脈拍を測定するためのフォトセンサ２０ｃが設けられている。
【００７２】
本実施の形態では、生理量データ測定部２０は第２の筐体２の両側面に設けられているが、設ける方法はこれに限らない。例えば、両側面のうち、一方のみに生理量データ測定部２０が設けられてもよい。
【００７３】
図１（ｂ）に示すように、第１の筐体１の背面中央には発光動作を行うサブ表示部１４が設けられている。サブ表示部１４は、例えば、ＬＥＤ（発光ダイオード）等からなる。なお、サブ表示部１４は発光するものであれば、これに限定されない。
【００７４】
サブ表示部１４の上部には電荷結合素子（以下、ＣＣＤと略記する。）カメラ１７が設けられている。第１の筐体１の背面上端側には２つのスピーカ１５ａが設けられている。また、第２の筐体２の背面上端側にはアンテナ３１が設けられている。
【００７５】
生体情報の検出時においては、使用者が第２の筐体２を把持することにより生理量データが測定される。すなわち、使用者の指または手のひらが電極２０ａ，２０ｄ、サーミスタ２０ｂおよびフォトセンサ２０ｃに触れることにより、使用者のＧＳＲ、皮膚温度および脈拍が測定される。また、使用者がマイクロホン１６を通じて会話することにより、音声データが得られる。
【００７６】
図２は第１の実施の形態に係る携帯電話機１００の構成を示すブロック図である。図２に示すように、本実施の形態に係る携帯電話機１００は、制御部１０、入力操作部１１、メモリ１２、メイン表示部１３、サブ表示部１４、スピーカ１５ａ、通話用スピーカ１５ｂ、マイクロホン１６、ＣＣＤカメラ１７、信号処理部１８、生理量データ測定部２０、無線通信部３０およびアンテナ３１を含む。また、スピーカ１５ａ、通話用スピーカ１５ｂ、マイクロホン１６の各々に対応してアンプａｎ１，ａｎ２，ａｎ３が設けられている。
【００７７】
制御部１０は、例えば、ＣＰＵ（中央演算処理装置）またはマイクロコンピュータ等からなり、上記各構成部の動作を制御する。入力操作部１１は、使用者の操作に基づく指令信号を制御部１０に与える。メモリ１２は、例えば、フラッシュメモリ等の不揮発性メモリまたはＳＲＡＭ（スタティックランダムアクセスメモリ）等の揮発性メモリおよびそのデータを保持するためのデータ保持用電源等からなる。メモリ１２には複数の情報が記憶される。メモリ１２の内部構成については後述する。
【００７８】
なお、制御部１０またはメモリ１２のいずれかにおいては、携帯電話機本来の機能に関するシステムプログラムおよび後述の通信プログラムが記憶されている。ここで、携帯電話機本来の機能とは、例えば、使用者が通話するための機能、使用者が電子メールの作成、送信および受信を行うための機能ならびに使用者がインターネットを介して所望のサイトへアクセスするための機能等である。
【００７９】
メイン表示部１３は制御部１０からの指令信号に基づいて表示動作が制御される。また、サブ表示部１４は制御部１０からの指令信号に基づいて発光動作が制御される。
【００８０】
スピーカ１５ａはアンプａｎ１を介して与えられる電気信号に基づいて各種音声を出力する。通話用スピーカ１５ｂはアンプａｎ２を介して与えられる電気信号に基づいて各種音声を出力する。マイクロホン１６は、使用者の音声に基づく電気信号を生成する。生成された電気信号はアンプａｎ３を介して信号処理部１８およびメモリ１２等に与えられる。ＣＣＤカメラ１７は制御部１０からの指令信号に基づいて撮像動作が制御される。
【００８１】
信号処理部１８においては、他の構成部から与えられる信号の形式の変換等が行われる。例えば、信号処理部１８は、生理量データ測定部２０により測定されたアナログ形式の生理量データをデジタル形式の生理量データに変換する。
【００８２】
上述のように、生理量データ測定部２０は電極２０ａ，２０ｄ、サーミスタ２０ｂおよびフォトセンサ２０ｃを含む。電極２０ａ，２０ｄにより使用者のＧＳＲが測定され、サーミスタ２０ｂにより使用者の皮膚温度が測定され、フォトセンサ２０ｃにより使用者の脈拍が測定される。測定された生理量データは信号処理部１８に与えられる。
【００８３】
無線通信部３０は、アンテナ３１を介して上述の生理量データ、音声データおよび電子メールに関するデータ等の無線通信を行う。
【００８４】
図３は図２のメモリ１２の内部構成の一例を示す図である。メモリ１２は、動作設定記憶部１２１、心理状態推定テーブル格納部１２２、個人情報データ格納部１２３、履歴データ格納部１２４、音声解析テーブル格納部１２５および補正データ記憶部１２６を含む。
【００８５】
メモリ１２内の上記格納部および記憶部の詳細について図４〜図７に基づき説明する。
【００８６】
図４は図３の動作設定記憶部１２１に記憶される内容の一例を示す図である。図４では、動作設定記憶部１２１の記憶内容の一例として、携帯電話機１００の着信時動作設定テーブルが表されている。
【００８７】
図４の着信時動作設定テーブルでは、通信相手ごとに予め着信時のメロディパターン、発光パターンおよび表示パターンが設定されている。
【００８８】
ここで、メロディパターンとは着信時に図２のスピーカ１５ａが出力する音声のパターンをいい、発光パターンとは着信時に図２のサブ表示部１４が発光するパターンをいい、表示パターンとは着信時に図２のメイン表示部１３が表示するパターンをいう。
【００８９】
これら着信時のメロディパターン、発光パターンおよび表示パターンの組合せが着信時動作グループＰ１，Ｐ２に分類されている。
【００９０】
図４の例では、着信時動作グループがＰ１の場合、メロディパターンとして「パンパカパーン」が設定され、発光パターンとして「緑色を点灯」が設定され、表示パターンとして「いつもの調子で話しましょう」が設定されている。また、着信時動作グループがＰ２の場合、メロディパターンとして「ブーブーブー」が設定され、発光パターンとして「赤色を点灯」が設定され、表示パターンとして「リラックスして話して下さいね」が設定されている。
【００９１】
ここで、着信時動作グループは、通信相手と通信した場合の過去の通信履歴から通信相手ごとに算出される後述の心理状態レベル履歴平均に基づいて決定される。例えば、図４では、ある通信相手と通信した場合の心理状態レベル履歴平均の値が２以下の場合に、その通信相手に着信時動作グループとしてＰ１が設定され、ある通信相手と通信した場合の心理状態レベル履歴平均の値が３以上の場合に、その通信相手に着信時動作グループとしてＰ２が設定される。
【００９２】
図２の制御部１０は、上述のように動作設定記憶部１２１に記憶された着信時動作設定テーブルに基づいて上記各構成部の動作を制御する。これにより、制御部１０は、携帯電話機１００の着信時に、図４の着信時動作設定テーブルに基づいて通信相手に応じたスピーカ１５ａ、サブ表示部１４およびメイン表示部１３の動作制御を行う。また、制御部１０は着信時動作設定テーブルの内容の更新も行う。更新動作については後述する。
【００９３】
図５は図３の心理状態推定テーブル格納部１２２に記憶される内容の一例を示す図である。図５では、心理状態推定テーブル格納部１２２の記憶内容の一例として、生理量データ測定部２０により測定される生理量データに基づいて使用者の心理状態（緊張の度合い）を推定するための心理状態推定テーブルが表されている。
【００９４】
ここで、図５において、使用者の緊張の度合いは心理状態レベル１〜６として表されている。図５の例では、心理状態レベルが小さくなるにつれて使用者の緊張の度合いが高い。例えば、心理状態レベル１は使用者が非常に緊張していることを表し、心理状態レベル２は使用者が緊張していることを表し、心理状態レベル３は使用者がやや緊張していることを表す。
【００９５】
また、心理状態レベル４は使用者が普通の状態であることを表し、心理状態レベル５は使用者がリラックスしていることを表し、心理状態レベル６は使用者が非常にリラックスしていることを表す。これら心理状態レベルは、測定された生理量データ、すなわち、使用者のＧＳＲ、皮膚温度および脈拍の単位時間あたりの変化量の組合せに基づき分類されている。
【００９６】
変化量の組合せは、ＧＳＲ、皮膚温度および脈拍の変化量の各々について設定された基準値に対する測定値の大小関係に基づき決定される。
【００９７】
図５においては、上記の変化量の組合せを決定するために、ＧＳＲの変化量について３つの基準値α，β，γが設定されている。これら基準値α，β，γは、α，β，γの順に大きい。また、皮膚温度および脈拍の変化量の基準値として０が設定されている。
【００９８】
ＧＳＲ、皮膚温度および脈拍の変化量の組合せによる心理状態レベルの分類の一例を説明する。
【００９９】
例えば、ＧＳＲの変化量ΔＧが基準値γ以上であり、皮膚温度の変化量ΔＴが０未満であり、かつ、脈拍の変化量ΔＨが０以上である場合、心理状態レベルが１に分類されている。
【０１００】
また、ＧＳＲの変化量ΔＧが基準値α以下であり、皮膚温度の変化量ΔＴが０以上であり、かつ、脈拍の変化量ΔＨが０未満である場合、心理状態レベルが６に分類されている。
【０１０１】
図２の制御部１０は、上述のように心理状態推定テーブル格納部１２２に記憶された心理状態推定テーブルおよび生理量データ測定部２０により測定された使用者のＧＳＲ、皮膚温度および脈拍の生理量データに基づいて使用者の心理状態レベルを推定する。
【０１０２】
なお、上記の基準値α，β，γは予め特定の値を定めることにより設定されてもよいし、各使用者の健康状態および性格等の特徴に応じて使用者ごとに設定されてもよい。
【０１０３】
図６は、図３の個人情報データ格納部１２３に記憶される内容の一例を示す図である。図６では、個人情報データ格納部１２３の記憶内容の一例として、使用者の通信相手の個人情報データが表されている。
【０１０４】
図６の個人情報データにおいては、使用者の通信相手ごとに、通信相手の性別、使用者と通信相手との関係および通信相手の電話番号が対応付けされている。なお、個人情報データには、これら、性別、関係および電話番号に加えて、通信相手ごとに通信相手の電子メールアドレスが対応付けされてもよい。
【０１０５】
図２の制御部１０は、上述のように個人情報データ格納部１２３に記憶された個人情報データに基づいて着信時または電子メール受信時等にその発信元の通信相手を特定することができる。すなわち、携帯電話機１００の着信時において、その発信元から通信相手の電話番号のデータが送られる場合に、制御部１０は上記個人情報データに基づいて通信相手を識別することができる。
【０１０６】
図７は、図３の履歴データ格納部１２４に記憶される内容の一例を示す図である。図７では、履歴データ格納部１２４の記憶内容の一例として、使用者の通信相手ごとに、使用者とその通信相手との間で行われた過去の通信に関する情報が対応付けされた履歴データが表されている。
【０１０７】
図７によれば、使用者とその通信相手との間で行われた過去の通信に関する情報は、例えば、使用者の過去の通信時に推定された心理状態レベルの履歴の平均（以下、心理状態レベル履歴平均と呼ぶ。）および使用者の過去の通信の記録である。ここでは、通信相手ごとに対応付けされた過去の通信の記録は、前回の通信時の通信日時、通信時間、通信時に推定された心理状態レベルおよび通信時の音声データである。なお、音声データの記憶方法については、他の実施の形態において後述する。
【０１０８】
図７の例では、通信相手ＡＡに心理状態レベル履歴平均として６が対応付けされている。これは、使用者と通信相手ＡＡとの過去の通信時に使用者の心理状態が平均して心理状態レベル６、すなわち、非常にリラックスしている状態であったことを表している。また、通信相手ＡＡに対する過去の通信の記録は、前回の通信時の通信日時が○月△日□時▽分であり、通信時間が○分であり、通信時に推定された心理状態が心理状態レベル５であることを表している。さらに、通信相手ＡＡの前回の通信時の音声データＡＡ１が記憶されていることを表している。
【０１０９】
これにより、図２の制御部１０は、履歴データ格納部１２４に記憶された履歴データに基づいて通信相手ごとに使用者の過去の心理状態レベル履歴平均および過去の通信の記録を特定することができる。
【０１１０】
本実施の形態において制御部１０は、使用者が通信を行うごとに図７の履歴データの内容を更新する。そして、制御部１０は更新された履歴データに基づいて図４の着信時動作設定テーブルの内容を更新する。その結果、本実施の形態に係る携帯電話機１００は、使用者の通信相手に応じた各種動作を行う。
【０１１１】
なお、制御部１０は、図２のメイン表示部１３、サブ表示部１４、スピーカ１５ａおよび通話用スピーカ１５ｂ等を制御し、履歴データの内容を表示または音声出力してもよい。この場合、使用者は通信相手ごとに過去の通信に関する情報を知ることができる。
【０１１２】
図３の音声解析テーブル格納部１２５には、使用者の通信時の音声データを解析するためのテーブルが記憶されている。また、補正データ記憶部１２６には使用者の生理量データを周囲の環境に応じて補正するためのテーブルが記憶されている。これら音声解析テーブル格納部１２５および補正データ記憶部１２６に記憶される内容の詳細については他の実施の形態において後述する。
【０１１３】
図８および図９は、使用者が第１の実施の形態に係る携帯電話機１００を使用する場合にメイン表示部１３に表示される内容の一例を表す図である。
【０１１４】
使用者は、通話を行う場合に携帯電話機１００の入力操作部１１を操作する。
【０１１５】
図８（ａ）は、使用者が所望の相手に電話をかけた場合（発信時）のメイン表示部１３の表示例を表す。図８（ｂ）は、使用者の携帯電話機１００に電話がかかってきた場合（着信時）のメイン表示部１３の表示例を表す。メイン表示部１３には、発信または着信の旨および電話番号が表示される。
【０１１６】
携帯電話機１００のメイン表示部１３が図８（ａ）の表示状態において、使用者が入力操作部１１を操作することにより、または、使用者からの発信を受けた相手が自己の携帯電話機を操作することにより、通話が可能となる。
【０１１７】
図８（ｃ）は、通話中のメイン表示部１３の表示例を表す。メイン表示部１３には使用者が通話している際に現在の通話時間が表示され、使用者の生体情報を検出している旨が表示される。その後、使用者またはその通話相手が携帯電話機１００の入力操作部１１を操作することにより通話が終了する。
【０１１８】
図９（ｄ）は、使用者が通話を終了した場合のメイン表示部１３の表示例を表す。メイン表示部１３には、使用者の通話終了時に使用者の通話時間が表示され、通話中に検出された生体情報に基づいて推定される使用者の心理状態が表示される。
【０１１９】
図２の制御部１０は、メイン表示部１３により図９（ｄ）の通話時間および心理状態を表示した後、通話中に検出された生体情報に基づいて上述の着信時動作設定テーブルの内容を更新する。そして、更新された着信時動作設定テーブルの内容をメイン表示部１３に表示する。
【０１２０】
図９（ｅ）は、図９（ｄ）の表示後にメイン表示部１３に表示される着信時動作設定テーブルの内容の表示例である。これにより、使用者は携帯電話機１００の着信時の動作を知ることができる。
【０１２１】
図９（ｅ）の例では、使用者は、図４の着信時動作設定テーブルとして、通話相手（図４においては通信相手）ＡＢに着信時動作グループＰ１が設定されたことを知ることができる。
【０１２２】
図９（ｆ）は、上記の設定が行われた後、再度、使用者が通話相手ＡＢに電話をかけた場合（発信時）のメイン表示部１３の表示例を表す。図９（ｇ）は、上記の設定が行われた後、使用者の携帯電話機１００に通話相手ＡＢから電話がかかってきた場合（着信時）のメイン表示部１３の表示例を表す。
【０１２３】
特定の通話相手に対して着信時動作グループの設定がなされた場合、メイン表示部１３には、着信時動作グループにより定められた表示パターン（例えば、図４の表示パターン等）、発信または着信の旨および電話番号が表示される。
【０１２４】
例えば、特定の通話相手に対する過去の心理状態が常に「非常に緊張している」状態であると推定されていた場合、その相手に対する発信時およびその相手からの着信時には、メイン表示部１３にはリラックスして話すべき旨が表示される。
【０１２５】
本実施の形態に係る通信プログラムについて説明する。図１０および図１１は、第１の実施の形態に係る通信プログラムの一例を示すフローチャートである。
【０１２６】
本実施の形態に係る通信プログラムによれば、図２の制御部１０は、次のように動作する。
【０１２７】
初めに、図２の制御部１０は、使用者による入力操作部１１の操作により他の電話機に対して発信する旨の指令信号を受けたか否かを判別する（ステップＳ１０）。この場合の指令信号には通信相手の電話番号が含まれる。
【０１２８】
制御部１０は発信する旨の指令信号を受けた場合、その指令信号に基づいて通信相手を識別する（ステップＳ１１）。
【０１２９】
次に、制御部１０は発信先の通信相手に対応する表示パターンをメイン表示部１３に表示し、通信相手に対応する発光パターンで図２のサブ表示部１４を発光させる（ステップＳ１２）。そして、制御部１０は、通信相手から応答があったか否かを判別する（ステップＳ１３）。制御部１０は、応答があった場合、生理量データの測定を開始する（ステップＳ１８）。
【０１３０】
一方、制御部１０は、上記ステップＳ１０において発信する旨の指令信号を受けない場合、他の電話機からの着信があるか否かを判別する（ステップＳ１４）。この場合の他の電話機から送信されるデータには通信相手の電話番号が含まれる。
【０１３１】
制御部１０は、他の電話機からの着信がない場合、上記ステップＳ１０の動作を繰り返す。一方、制御部１０は、他の電話機からの着信があった場合、他の電話機から送信されるデータに基づいて通信相手を識別する（ステップＳ１５）。
【０１３２】
次に、制御部１０は発信先の通信相手に対応する表示パターンをメイン表示部１３に表示させ、通信相手に対応する発光パターンで図２のサブ表示部１４を発光させ、通信相手に対応するメロディパターンでスピーカ１５ａから音声を出力させる（ステップＳ１６）。そこで、制御部１０は、使用者が入力操作部１１を操作することにより、その着信に対して応答する旨の指令信号を受けたか否かを判別する（ステップＳ１７）。制御部１０は、応答があった場合、上記ステップＳ１８の動作を行う。
【０１３３】
制御部１０は、上記ステップＳ１８の動作を行いつつ、通信が終了したか否かを判別する（ステップＳ１９）。
【０１３４】
制御部１０は、通信が終了しない場合、上記ステップＳ１８の動作を繰り返す。一方、制御部１０は、通信が終了した場合、生理量データの測定を停止し、測定された生理量データに基づいて通信中の心理状態を推定する（ステップＳ２０）。その後、制御部１０は、推定された使用者の通信中の心理状態をメイン表示部１３に表示する（ステップＳ２１）。
【０１３５】
最後に、制御部１０は、識別された通信相手および心理状態の推定結果に基づいて履歴データの内容を更新する（ステップＳ２２）。そして、制御部１０は、更新された履歴データの内容に基づいて着信時動作設定テーブルの内容を更新する（ステップＳ２３）。ステップＳ２３の動作を終了した制御部１０は、再び上記ステップＳ１０の動作を繰り返す。
【０１３６】
ここで、図７の履歴データの内容の更新動作について説明する。上記ステップＳ２２において、制御部１０は測定された生理量データに基づき推定された心理状態レベルを履歴データ格納部１２４に記憶する。そして、制御部１０は通信相手ごとに記憶された過去の心理状態レベルおよび現在推定された心理状態レベルから、その通信相手との通信時における心理状態レベルの平均値を算出する。このように算出された平均値が、上述の心理状態レベル履歴平均である。
【０１３７】
また、制御部１０は、現在行われた通信の内容（例えば、通信時の通信日時、通信時間、通信時に推定された心理状態レベルおよび通信時の音声データ等）に基づいて過去の通信の記録を更新する。
【０１３８】
これにより、通信が行われるごとに制御部１０により、図７の履歴データの内容が更新される。
【０１３９】
以上、本実施の形態に係る通信装置においては、使用者による入力操作部１１の操作に基づいて制御部１０により携帯電話機１００の各構成部の動作が制御される。また、使用者が携帯電話機１００の入力操作部１１により通信相手（通話相手）に対する通信に関連する操作を行っているときまたは使用者が無線通信部３０およびアンテナ３１により通信相手に通信を行っているときに、使用者の生体情報が検出されるように生理量データ測定部２０、すなわち、電極２０ａ，２０ｄ、サーミスタ２０ｂおよびフォトセンサ２０ｃが制御部１０により制御される。したがって、使用者が意識する通信相手に依存する生体情報を取得することができる。
【０１４０】
また、本実施の形態では、使用者が無線通信部３０およびアンテナ３１を通じて任意の通話相手と音声による通話を行っているときに、使用者の生体情報が検出される。それにより、通話相手に依存する生体情報を取得することができる。
【０１４１】
本実施の形態においては、生理量データ測定部２０により検出された生体情報に基づいて使用者の心理状態が制御部１０により推定される。それにより、通信相手に依存した使用者の心理状態を認識することができる。
【０１４２】
また、生理量データ測定部２０により検出された生体情報に基づいて使用者の緊張度合いが制御部１０により推定される。それにより、通信相手に依存した使用者の緊張度合いを認識することができる。
【０１４３】
その上、本実施の形態においては、制御部１０により推定された使用者の心理状態を示す情報がメイン表示部１３により表示される。それにより、使用者は、通信相手に依存する心理状態を容易に認識することができる。
【０１４４】
また、本実施の形態では、制御部１０により推定された使用者の心理状態がメモリ１２の履歴データ格納部１２４により通信相手ごとに記憶される。それにより、使用者は、記憶手段の記憶内容に基づいて通信相手に依存する心理状態および心理状態の履歴を容易に確認することができる。
【０１４５】
さらに、本実施の形態では、メモリ１２に記憶された使用者の心理状態に基づいて携帯電話機１００の着信動作が制御される。それにより、使用者は、着信時に通信相手に依存する心理状態を着信動作により容易に認識することができる。
【０１４６】
本実施の形態に係る携帯電話機１００においては、第２の筐体２の側面に生理量データ測定部２０（電極２０ａ，２０ｄおよびフォトセンサ２０ｃ）が設けられている。これにより、使用者は、第２の筐体２を片手で保持しつつ他の手で入力操作部１１を操作することができる。このとき、使用者の手が第２の筐体２の側面の生理量データ測定部２０に触れることにより使用者の生体情報が検出される。
【０１４７】
したがって、使用者が意識することなく生体情報を簡単に検出することができる。
【０１４８】
なお、第２の筐体２の前面、背面、一方の側面および他方の側面は、それぞれ平面状に限らず、曲面状に形成されてもよく、前面、背面、一方の側面および他方の側面のうち２以上が曲面で連続していてもよい。
【０１４９】
図１に示すように、本実施の形態に係る携帯電話機１００の生理量データ測定部２０は、電極２０ａ，２０ｄ、サーミスタ２０ｂ、フォトセンサ２０ｃを含むが、電極２０ａ，２０ｄ、サーミスタ２０ｂ、フォトセンサ２０ｃの全てを含む形態に限られるものではない。例えば、生理量データ測定部２０は電極２０ａ，２０ｄ、フォトセンサ２０ｃを含んでもよいし、電極２０ａ，２０ｄのみを含んでもよい。この場合、検出される生理量データに応じて上述の心理状態推定テーブルを設定する必要がある。
【０１５０】
また、生理量データ測定部２０は使用者の生理量データとしてＧＳＲ、皮膚温度、脈拍を測定するが、測定する生理量データはＧＳＲ、皮膚温度、脈拍に限られるものではない。例えば、心拍、血圧、血流量、呼吸などでもよい。この場合も、検出される生理量データに応じて上述の心理状態推定テーブルを設定する必要がある。
【０１５１】
上記では、心理状態の推定をするために図５の心理状態推定テーブルを用いたが、生体情報に基づく使用者の心理状態の推定は、図５の心理状態推定テーブルを用いることに限定されない。生体情報を用いるのであれば、生理量データのみを用いて他の推定テーブルにより使用者の心理状態を推定してもよいし、音声データのみを用いて使用者の心理状態を推定してもよい。さらに、他の実施の形態において後述するが、生理量データおよび音声データをともに用いて使用者の心理状態を推定してもよい。
【０１５２】
また、上記では、心理状態として使用者の緊張の度合いを推定しているが、これに限らず、他の実施の形態において後述するが、生体情報に基づいて使用者のうそを推定したり、喜怒哀楽を推定してもよい。この場合、使用者は自己の心理状態について様々な情報を得ることができる。
【０１５３】
さらに、上記では、使用者の携帯電話機１００による通話中に、その通話時間を通じて生体情報を検出しているが、生体情報の検出はこれに限られない。他の実施の形態において後述するが、例えば、携帯電話機１００は、使用者の通話中でかつ使用者が質問に対して回答している場合にのみ生体情報を検出してもよい。この場合、使用者は自己の回答時の生体情報に基づいて心理状態を推定することで、その回答時または発声時の自己の心理状態について様々な情報を得ることができる。
【０１５４】
携帯電話機１００は、通話中でなくても、使用者の生体情報を検出してもよい。他の実施の形態において後述するが、例えば、携帯電話機１００は使用者が電子メールを作成する際に使用者の生体情報を検出してもよい。この場合、使用者は自己の特定の通信相手への電子メールの作成時の心理状態についての情報を得ることができる。
【０１５５】
他の実施の形態において後述するが、携帯電話機１００は、検出された生体情報または推定された心理状態についての情報を他の通信装置に送信してもよい。
【０１５６】
（第２の実施の形態）
第２の実施の形態に係る携帯電話機１００は、以下の点を除き第１の実施の形態に係る携帯電話機１００と同様の構成および動作を有する。
【０１５７】
本実施の形態に係る携帯電話機１００には、図３の音声解析テーブル格納部１２５に後述の音声解析テーブルおよび心理状態調整テーブルが記憶されている。
【０１５８】
携帯電話機１００は、使用者の会話を音声データとして録音する。そして、携帯電話機１００は、録音された音声データを解析することによりパラメータとして、発音のトーン（音調）、抑揚およびジッタ（かすれ具合）を得る。なお、パラメータは、トーン、抑揚およびジッタに限られず、発音の大きさまたは発音の速度等であってもよい。
【０１５９】
本実施の形態において、図２の制御部１０は、得られたパラメータ（発音のトーン、抑揚およびジッタ等）および音声解析テーブルに基づいてその音声データに関する後述の音声レベルを決定する。
【０１６０】
制御部１０は決定された音声レベルおよび心理状態調整テーブルに基づいて後述の心理状態レベル調整値を決定する。そして、制御部１０は、決定された心理状態レベル調整値に基づいて生理量データにより推定された上述の心理状態レベルの調整を行う。その結果、本実施の形態に係る携帯電話機１００においては、生理量データおよび音声データをともに用いることにより使用者の心理状態を推定することができる。
【０１６１】
なお、生理量データにより推定された心理状態レベルを音声データを用いて調整せずに、生理量データおよび音声データに基づいて使用者の心理状態を推定してもよい。
【０１６２】
さらに、本実施の形態において、制御部１０は調整された心理状態レベルおよび後述のリラックス動作設定テーブルに基づいて図２の各構成部の動作を制御する。これにより、使用者は携帯電話機１００により自己の心理状態に応じた緊張の弛緩が促される。以下、使用者に対する緊張の弛緩をリラクゼーションと呼ぶ。
【０１６３】
音声解析テーブルおよび心理状態調整テーブルについて説明する。図１２は、図３の音声解析テーブル格納部１２５に記憶される内容の一例を示す図である。
【０１６４】
以下の説明において、音声解析テーブル格納部１２５には図１２に示す音声解析テーブルおよび心理状態調整テーブルに加えて、音声データを解析することにより得られる発音のトーン、抑揚およびジッタの各々について所定の基準値が記憶されている。
【０１６５】
図１２（ａ）は、音声解析テーブル格納部１２５に記憶される音声解析テーブルの一例を表す。図１２（ａ）によれば、音声レベルが、音声データより得られる発音のトーン、抑揚およびジッタの各々の所定の基準値に対する大小関係に基づいて１〜８に分類されている。
【０１６６】
上述の各種基準値は、それぞれ予め特定の値を定めることにより設定されてもよいし、各使用者の健康状態および性格等の特徴に応じて使用者ごとに設定されてもよい。
【０１６７】
ここで、音声レベルは、音声データから推定される使用者の緊張の度合いを表す。図１２（ａ）の例において、使用者の緊張の度合いは音声レベルが小さくなるにつれて大きいことを表す。
【０１６８】
例えば、トーンが基準値以上であり、抑揚が基準値以上であり、かつ、ジッタが基準値以上である場合、音声レベルは使用者が非常に緊張している旨を示す１に分類される。
【０１６９】
図１２（ｂ）は、音声解析テーブル格納部１２５に記憶される心理状態調整テーブルの一例を表す。図１２（ｂ）によれば、心理状態調整テーブルにおいては、上述の音声レベルに応じて心理状態レベル調整値−１、０および１が対応付けられている。この心理状態レベル調整値は、制御部１０が生理量データおよび図５の心理状態推定テーブルに基づいて推定された心理状態レベルを調整するために用いられる。
【０１７０】
例えば、制御部１０は、図１２（ａ）の音声解析テーブルに基づいて音声レベルが１であると決定した場合、図１２（ｂ）の心理状態レベル調整テーブルに基づいて心理状態レベル調整値を−１として決定する。これにより、制御部１０は、生理量データおよび図５の心理状態推定テーブルに基づいて推定された心理状態レベルを−１で調整する。生理量データにより推定された心理状態レベルが４の場合、調整後の心理状態レベルは３となる。
【０１７１】
リラックス動作設定テーブルについて説明する。図１３は、図３の動作設定記憶部１２１に記憶される内容の一例を示す図である。ここでは、動作設定記憶部１２１に記憶される内容の一例として、リラックス動作設定テーブルが表されている。
【０１７２】
図１３のリラックス動作設定テーブルでは、上述の調整後の心理状態レベルごとにメッセージ表示パターン、画像表示パターンおよびリラックス音楽パターンが設定されている。
【０１７３】
ここで、メッセージ表示パターンとは使用者へのリラクゼーション時に図２のメイン表示部１３が表示する文字のパターンをいい、画像表示パターンとは使用者へのリラクゼーション時に図２のメイン表示部１３が表示する画像のパターンをいい、リラックス音楽パターンとは使用者へのリラクゼーション時に図２のスピーカ１５ａが再生する音声（音楽）のパターンをいう。
【０１７４】
図１３の例では、推定される心理状態レベル１に対して、メッセージ表示パターンとして「深呼吸〜一休みいれてリラーックス」が設定され、画像表示パターンとして「自然の風景」が設定され、リラックス音楽パターンとして「せせらぎの音」が設定されている。
【０１７５】
図１４および図１５は、使用者が第２の実施の形態に係る携帯電話機１００を使用する場合にメイン表示部１３に表示される内容の一例を表す図である。
【０１７６】
使用者は、通話を行う場合に携帯電話機１００の入力操作部１１を操作する。
【０１７７】
図１４（ａ）は、使用者が通話を終了した場合のメイン表示部１３の表示例を表す。メイン表示部１３には、使用者の通話時間が表示されるとともに終了ボタン１３１およびメンタルボタン１３２が表示される。
【０１７８】
ここで、使用者は、図１のカーソルボタンＫＫおよび決定ボタンＫＳ等を操作することにより終了ボタン１３１およびメンタルボタン１３２の選択を行うことができる。
【０１７９】
図１４（ｂ）は、使用者がメンタルボタン１３２を選択した場合のメイン表示部１３の表示例を表す。メイン表示部１３には、使用者の通話中に検出された生体情報に基づいて推定される使用者の心理状態が表示されるとともに終了ボタン１３１、一言ボタン１３２ａおよび音楽ボタン１３２ｂが表示される。
【０１８０】
使用者は、図１のカーソルボタンＫＫおよび決定ボタンＫＳ等を操作することにより終了ボタン１３１、一言ボタン１３２ａおよび音楽ボタン１３２ｂの選択を行うことができる。
【０１８１】
図１５（ｃ）は、使用者が一言ボタン１３２ａを選択した場合のメイン表示部１３の表示例を表す。メイン表示部１３には、使用者の緊張を弛緩するためのメッセージ表示パターンが表示されるとともに終了ボタン１３１および音楽ボタン１３２ｂが表示される。
【０１８２】
使用者は、図１のカーソルボタンＫＫおよび決定ボタンＫＳ等を操作することにより終了ボタン１３１および音楽ボタン１３２ｂの選択を行うことができる。
【０１８３】
図１５（ｄ）は、使用者が音楽ボタン１３２ｂを選択した場合のメイン表示部１３の表示例を表す。メイン表示部１３には、使用者の緊張を弛緩するための画像表示パターンが表示されるとともに終了ボタン１３１および一言ボタン１３２ａが表示される。
【０１８４】
使用者は、図１のカーソルボタンＫＫおよび決定ボタンＫＳ等を操作することにより終了ボタン１３１および音楽ボタン１３２ｂの選択を行うことができる。
【０１８５】
また、メイン表示部１３が図１５（ｄ）の表示状態においては、図２のスピーカ１５ａから所定のリラックス音楽パターンが再生される。
【０１８６】
上記において、使用者が図１のカーソルボタンＫＫおよび決定ボタンＫＳ等を操作することにより終了ボタン１３１を選択した場合、使用者へのリラクゼーション、すなわちメッセージ表示パターンまたは画像表示パターンの表示動作およびリラックス音楽パターンの再生動作は終了する。
【０１８７】
なお、使用者の通話終了前（例えば、発信時、着信時および通話時）において、メイン表示部１３には図８（ａ），（ｂ），（ｃ）に示す内容が表示されてもよい。
【０１８８】
また、本実施の形態において、使用者へのリラクゼーションは第１の実施の形態に示すように通信相手（通話相手）ごとに設定されてもよいし、通信相手ごとに設定されなくてもよい。
【０１８９】
本実施の形態に係る通信プログラムについて説明する。図１６〜図１８は、第２の実施の形態に係る通信プログラムの一例を示すフローチャートである。
【０１９０】
本実施の形態に係る通信プログラムによれば、図２の制御部１０は、次のように動作する。
【０１９１】
初めに、図２の制御部１０は、使用者による入力操作部１１の操作によりリラックスモードをオンする旨の指令信号を受けたか否かを判別する（ステップＳ３０）。リラックスモードのオンとは、携帯電話機１００が使用者にリラクゼーションを促す機能を動作させる旨をいう。
【０１９２】
制御部１０は、リラックスモードをオンする旨の指令信号を受けた場合、使用者が入力操作部１１を操作することにより他の電話機に対する発信の旨の指令信号を受けたか否かを判別する（ステップＳ３１）。
【０１９３】
制御部１０は、発信の旨の指令信号を受けた場合、その指令信号に基づく所定の動作を行い、通信相手から応答があったか否かを判別する（ステップＳ３３）。制御部１０は、応答があった場合、生理量データの測定および音声データの録音を開始する（ステップＳ３４）。
【０１９４】
制御部１０は、上記ステップＳ３１において発信する旨の指令信号を受けない場合、他の電話機からの着信があるか否かを判別する（ステップＳ３２）。
【０１９５】
制御部１０は、他の電話機からの着信がない場合、上記ステップＳ３０の動作を繰り返す。一方、制御部１０は他の電話機からの着信があった場合、その着信に基づく所定の動作を行い、着信に対して応答があったか否かを判別する（ステップＳ３３）。制御部１０は、応答があった場合、上記ステップＳ３４の動作を行う。
【０１９６】
制御部１０は上記ステップＳ３４の動作を行いつつ、通信が終了したか否かを判別する（ステップＳ３５）。
【０１９７】
制御部１０は、通信が終了しない場合、上記ステップＳ３４の動作を繰り返す。一方、制御部１０は、通信が終了した場合、生理量データの測定および音声データの録音を終了する（ステップＳ３５ｂ）。
【０１９８】
次に、制御部１０は、使用者が入力操作部１１を操作することによりメンタルボタン１３２が選択されたか否かを判別する（ステップＳ３６）。制御部１０は、メンタルボタン１３２が選択された場合、測定された生理量データおよび録音された音声データに基づいて使用者の通信中の心理状態を推定する（ステップＳ３７）。そして、制御部１０は、推定結果、すなわち、使用者の心理状態をメイン表示部１３に表示する（ステップＳ３８）。
【０１９９】
続いて、制御部１０は、使用者が入力操作部１１を操作することにより一言ボタン１３２ａが選択されたか否かを判別する（ステップＳ３９）。
【０２００】
制御部１０は、一言ボタン１３２ａが選択されなかった場合、使用者の入力操作部１１の操作により音楽ボタン１３２ｂが選択されたか否かを判別する（ステップＳ４１）。一方、制御部１０は、上記ステップＳ３９において、一言ボタンが選択された場合、図３の動作設定記憶部１２１に記憶されたリラックス動作設定テーブルに基づくメッセージ表示パターンをメイン表示部１３に表示する（ステップＳ４０）。そして、制御部１０は、上記ステップＳ４１の動作を行う。
【０２０１】
上記ステップＳ４１において、制御部１０は、音楽ボタンが選択されなかった場合、使用者が入力操作部１１を操作することにより終了ボタン１３１が選択されたか否かを判別する（ステップＳ４３）。一方、制御部１０は、音楽ボタン１３２ｂが選択された場合、図３の動作設定記憶部１２１に記憶されたリラックス動作設定テーブルに基づく画像表示パターンをメイン表示部１３に表示し、リラックス音楽パターンをスピーカ１５ａから再生する（ステップＳ４２）。そして、制御部１０は、上記ステップＳ４３の動作を行う。
【０２０２】
上記ステップＳ４３において、制御部１０は、終了ボタン１３１が選択された場合、上記一連の動作を終了する。一方、制御部１０は、終了ボタンが選択されなかった場合、上記ステップＳ３９の動作を繰り返す。
【０２０３】
ところで、上記ステップＳ３６において、制御部１０はメンタルボタン１３２が選択されなかった場合、上記ステップＳ４３の動作を行う。
【０２０４】
また、制御部１０は、上記ステップＳ３０において、リラックスモードがオンしない場合、上記ステップＳ３１と同様に、制御部１０は、使用者が入力操作部１１を操作することにより他の電話機に対する発信の旨の指令信号を受けたか否かを判別する（ステップＳ５０）。
【０２０５】
制御部１０は、発信の旨の指令信号を受けた場合、その指令信号に基づく所定の動作を行い、通信相手から応答があったか否かを判別する（ステップＳ５２）。次に、制御部１０は、通信相手から応答があった場合、通信が終了したか否かを判別する（ステップＳ５３）。制御部１０は、通信が終了した場合、本実施の形態に係る通信プログラムを終了する。
【０２０６】
上記ステップＳ５０において、制御部１０は、発信の旨の指令信号を受けない場合、他の電話機からの着信があるか否かを判別する（ステップＳ５１）。
【０２０７】
制御部１０は、着信があった場合、その着信に対する所定の動作を行い、上記ステップＳ５２の動作を行う。一方、制御部１０は、上記ステップＳ５１において、着信がない場合、上記ステップＳ３０の動作を繰り返す。
【０２０８】
以上、本実施の形態においては、制御部１０により推定された使用者の心理状態に基づいて使用者の緊張を緩和させるための使用者へのリラクゼーションに関する情報がメイン表示部１３により表示され、スピーカ１５ａにより音声出力される。それにより、通信相手に依存する使用者の緊張が緩和される。
【０２０９】
上記では、心理状態の推定をするために図５の心理状態推定テーブルおよび図１２の心理状態調整テーブルを用いたが、生体情報に基づく使用者の心理状態の推定は、図５の心理状態推定テーブルおよび図１２の心理状態調整テーブルを用いることに限定されない。生体情報を用いるのであれば、生理量データのみを用いて他の推定テーブルにより使用者の心理状態を推定してもよいし、音声データのみを用いて使用者の心理状態を推定してもよい。
【０２１０】
また、上記では、心理状態として使用者の緊張の度合いを推定しているが、これに限らず、他の実施の形態において後述するが、生体情報に基づいて使用者のうそを推定したり、喜怒哀楽を推定してもよい。この場合、使用者は自己の心理状態について様々な情報を得ることができる。
【０２１１】
さらに、上記では、携帯電話機１００は、使用者の緊張の度合いを心理状態として推定し、推定された心理状態に基づいて使用者へのリラクゼーションを行うが、リラクゼーションの方法は上記に限定されない。
【０２１２】
例えば、携帯電話機１００は、推定された心理状態に基づいて図１３のメッセージ表示パターンを表示することのみにより使用者へのリラクゼーションを行ってもよいし、図１３の画像表示パターンを表示することのみにより使用者へのリラクゼーションを行ってもよいし、図１３のリラックス音楽パターンを再生することのみにより使用者へのリラクゼーションを行ってもよい。
【０２１３】
本実施の形態では、心理状態の変化としてリラクゼーションを行っているが、心理状態の変化はこれに限らない。例えば、携帯電話機１００は、使用者の気分の落ち込みを解消するために、使用者の気分を活性化させるための情報を出力してもよい。これにより、使用者の気分の活性化が図られる。
【０２１４】
（第３の実施の形態）
第３の実施の形態に係る携帯電話機１００は、以下の点を除き第１の実施の形態に係る携帯電話機１００と同様の構成および動作を有する。
【０２１５】
本実施の形態に係る携帯電話機１００には、図３の動作設定記憶部１２１に後述のなごみ動作設定テーブルが記憶されている。
【０２１６】
本実施の形態において、携帯電話機１００は、使用者の通話中に使用者の生体情報として生理量データを測定し、測定された生理量データに基づいて使用者の心理状態を推定する。
【０２１７】
そして、携帯電話機１００は、使用者の通話中に推定された心理状態および後述のなごみ動作設定テーブルに基づいて使用者の心理状態に応じて使用者の心理状態をなごませるように動作する。以下、携帯電話機１００の使用者の心理状態をなごませる動作をなごみ動作と呼ぶ。なごみ動作については後述する。
【０２１８】
なごみ動作設定テーブルについて説明する。図１９は、図３の動作設定記憶部１２１に記憶される内容の一例を示す図である。ここでは、動作設定記憶部１２１に記憶される内容の一例として、なごみ動作設定テーブルが表されている。
【０２１９】
図１９のなごみ動作設定テーブルでは、生理量データに基づいて推定される心理状態レベルごとになごみ音楽パターンおよびなごみことばパターンが設定されている。
【０２２０】
ここで、なごみ音楽パターンとは使用者に対するなごみ動作時に図２の通話用スピーカ１５ｂが再生する音声のパターンをいい、なごみことばパターンとは使用者に対するなごみ動作時に図２の通話用スピーカ１５ｂが再生する音声のパターンをいう。
【０２２１】
図１９の例では、推定される心理状態レベル１および心理状態レベル２に対して、なごみ音楽パターンとして「せせらぎの音」が設定され、なごみことばパターンとして「ひといき、いれよう！」が設定されている。また、推定される心理状態レベル３および心理状態レベル４に対して、なごみことばパターンとして「ハイ、深呼吸して」が設定されている。
【０２２２】
図２０は、使用者が第３の実施の形態に係る携帯電話機１００を使用する場合にメイン表示部１３に表示される内容の一例を表す図である。
【０２２３】
使用者は、通話を行う場合に携帯電話機１００の入力操作部１１を操作する。
【０２２４】
図２０（ａ）は、使用者の通話中に、通話用スピーカ１５ｂからなごみ音楽パターンが再生される場合のメイン表示部１３の表示例を表す。メイン表示部１３には、なごみ音楽パターンおよびなごみことばパターンが再生されている旨が表示されるとともに音量ボタン１３４およびオフボタン１３５が表示される。
【０２２５】
図２０（ｂ）は、使用者の通話中に、通話用スピーカ１５ｂからなごみことばパターンが再生される場合のメイン表示部１３の表示例を表す。メイン表示部１３には、なごみ音楽パターンが再生されている旨が表示されるとともに音量ボタン１３４およびオフボタン１３５が表示される。
【０２２６】
図２０（ａ）および図２０（ｂ）において、使用者は、図１のカーソルボタンＫＫおよび決定ボタンＫＳ等を操作することにより音量ボタン１３４およびオフボタン１３５の選択を行うことができる。
【０２２７】
ここで、使用者は入力操作部１１を操作することにより音量ボタン１３４を選択した場合、通話用スピーカ１５ｂから再生されるなごみ音楽パターンおよびなごみことばパターンの音量の設定を行うことができる。
【０２２８】
一方、使用者は入力操作部１１を操作することによりオフボタン１３５を選択した場合、携帯電話機１００の使用者へのなごみ動作を終了させることができる。
【０２２９】
図２０（ｃ）は、使用者が通話を終了した場合のメイン表示部１３の表示例を表す。メイン表示部１３には、使用者の通話時間が表示されるとともに、なごみ動作を継続するか否かの問いかけ、はいボタン１３６ａおよびいいえボタン１３６ｂが表示される。
【０２３０】
使用者は、メイン表示部１３に表示されるなごみ動作を継続するか否かの問いかけに対して、図１のカーソルボタンＫＫおよび決定ボタンＫＳ等を操作することにより、はいボタン１３６ａおよびいいえボタン１３６ｂのいずれかを選択する。
【０２３１】
使用者は入力操作部１１を操作することによりはいボタン１３６ａを選択した場合、携帯電話機１００のなごみ動作を継続させることができる。一方、使用者は入力操作部１１を操作することによりいいえボタン１３６ｂを選択した場合、携帯電話機１００のなごみ動作を終了させることができる。
【０２３２】
図２０（ｄ）および図２０（ｅ）は、メイン表示部１３が図２０（ｃ）の表示状態において、使用者がはいボタン１３６ａを選択した場合のメイン表示部１３の表示例を表す。
【０２３３】
図２０（ｄ）において、メイン表示部１３には、通話用スピーカ１５ｂからなごみ音楽パターンおよびなごみことばパターンが再生されている旨が表示されるとともに終了ボタン１３１が表示される。この場合、使用者は通話用スピーカ１５ｂから再生されるなごみ音楽パターンおよびなごみことばパターンを聞くことができる。
【０２３４】
図２０（ｅ）において、メイン表示部１３には、通話用スピーカ１５ｂからなごみことばパターンが再生されている旨が表示されるとともに終了ボタン１３１が表示される。この場合、使用者は通話用スピーカ１５ｂから再生されるなごみことばパターンを聞くことができる。
【０２３５】
使用者はメイン表示部１３が図２０（ｃ）の表示状態において、使用者が図１のカーソルボタンＫＫおよび決定ボタンＫＳ等を操作することにより終了ボタン１３１を選択した場合、携帯電話機１００のなごみ動作を終了させることができる。
【０２３６】
なお、使用者の通話前（例えば、発信時および着信時）において、メイン表示部１３には図８（ａ），（ｂ）に示す内容が表示されてもよい。
【０２３７】
また、本実施の形態において、使用者へのなごみ動作は第１の実施の形態に示すように通信相手ごとに設定されてもよいし、通信相手ごとに設定されなくてもよい。
【０２３８】
本実施の形態に係る通信プログラムについて説明する。図２１〜図２３は、第３の実施の実施の形態に係る通信プログラムの一例を示すフローチャートである。
【０２３９】
本実施の形態に係る通信プグラムによれば、図２の制御部１０は次のように動作する。
【０２４０】
初めに、図２の制御部１０は、使用者による入力操作部１１の操作によりなごみモードをオンする旨の指令信号を受けたか否かを判別する（ステップＳ６０）。なごみモードのオンとは、携帯電話機１００が上述のなごみ動作を行うことが可能な状態にすることをいう。
【０２４１】
制御部１０は、なごみモードをオンする旨の指令信号を受けた場合、第２の実施の形態において説明したステップＳ３１〜ステップＳ３３と同様の動作を行う（ステップＳ６１〜Ｓ６３）。
【０２４２】
上記ステップＳ６３において、制御部１０は、応答があった場合、生理量データの測定を開始する（ステップＳ６４）。
【０２４３】
制御部１０は、所定の時間が経過することにより、測定された生理量データに基づいて使用者の通信中の心理状態を推定する（ステップＳ６５）。これにより、使用者の心理状態が図５の心理状態レベル１〜６のいずれかに分類される。
【０２４４】
次に、制御部１０は、使用者の心理状態レベルが１または２であるか否かを判別する（ステップＳ６６）。制御部１０は、使用者の心理状態レベルが１または２である場合、図１９のなごみ動作設定テーブルに基づいてなごみことばパターンおよびなごみ音楽パターンを通話用スピーカ１５ｂから再生する（ステップＳ６７）。
【０２４５】
制御部１０は、上記ステップＳ６７の動作の後または使用者の心理状態レベルが１または２でない場合、使用者の心理状態レベルが３または４であるか否かを判別する（ステップＳ６８）。制御部１０は、使用者の心理状態レベルが３または４である場合、図１９のなごみ動作設定テーブルに基づいてなごみことばパターンを通話用スピーカ１５ｂから再生する（ステップＳ６９）。
【０２４６】
次に、制御部１０は、上記ステップＳ６９の動作の後または使用者の心理状態レベルが３または４でない場合、通信が終了したか否かを判別する（ステップＳ７０）。
【０２４７】
制御部１０は、通信が終了しない場合、上記ステップＳ６４の動作を繰り返す。一方、制御部１０は、通信が終了した場合、生理量データの測定を終了する（ステップＳ７０ｂ）。
【０２４８】
続いて、制御部１０は、使用者に対するなごみ動作を継続するか否かの問いかけをメイン表示部１３に表示する（ステップＳ７１）。そして、制御部１０は、使用者が入力操作部１１を操作することによりはいボタン１３６ａが選択されたか否かを判別する（ステップＳ７２）。
【０２４９】
制御部１０は、はいボタンが選択された場合、図１９のなごみ動作設定テーブルに基づいてなごみ音楽パターンおよびなごみことばパターンを通話用スピーカ１５ｂから再生する（ステップＳ７３）。
【０２５０】
その後、制御部１０は、使用者が入力操作部１１を操作することにより終了ボタン１３１が選択されたか否かを判別する（ステップＳ７４）。制御部１０は、終了ボタンが選択されなかった場合、上記ステップＳ７３の動作を繰り返す。一方、制御部１０は、終了ボタン１３１が選択された場合、本実施の形態に係る通信プログラムを終了する。
【０２５１】
上記ステップＳ７２において、制御部１０は、はいボタン１３６ａが選択されなかった場合、使用者が入力操作部１１を操作することによりいいえボタン１３６ｂが選択されたか否かを判別する（ステップＳ７５）。制御部１０は、いいえボタン１３６ｂが選択されない場合、上記ステップＳ７２の動作を繰り返す。一方、制御部１０はいいえボタン１３６ｂが選択された場合、本実施の形態に係る通信プログラムを終了する。
【０２５２】
また、制御部１０は、上記ステップＳ６０において、なごみモードがオンしない場合、第２の実施の形態のステップＳ５０〜Ｓ５３と同様の動作を行う（ステップＳ８０〜Ｓ８３）。この場合、制御部１０は、上記ステップＳ８３において、通信が終了した場合、本実施の形態に係る通信プログラムを終了する。
【０２５３】
以上、本実施の形態においては、生理量データ測定部２０および制御部１０により推定された使用者の心理状態を示す情報が通話用スピーカ１５ｂにより音声として出力される。それにより、使用者は、通信相手に依存する心理状態を容易に認識することができる。
【０２５４】
また、本実施の形態においては、制御部１０により推定された使用者の心理状態に基づいて使用者の緊張を緩和させるための情報（なごみに関する情報）が通話用スピーカ１５ｂから音声出力される。それにより、通信相手に依存する使用者の緊張が緩和される。
【０２５５】
上記では、第１の実施の形態と同様に心理状態として使用者の緊張の度合いを推定しているが、これに限らず、他の実施の形態において後述するが、生体情報に基づいて使用者のうそを推定したり、喜怒哀楽を推定してもよい。この場合、使用者は自己の心理状態について様々な情報を得ることができる。そして、図１９のなごみ設定テーブルに代えて、推定される内容に応じた動作を設定しておくことにより、使用者は通話時に推定結果に応じたリラクゼーションまたは携帯電話機１００の動作によるなごみを得ることができる。
【０２５６】
携帯電話機１００は、通話中でなくても、使用者の生体情報を検出してもよい。他の実施の形態において後述するが、例えば、携帯電話機１００は使用者が電子メールを作成する際に使用者の生体情報を検出してもよい。この場合、使用者は自己の特定の通信相手への電子メールの作成時の心理状態についての情報を得ることができる。さらに、この場合、携帯電話機１００が電子メールの作成時の心理状態に応じてなごみ動作を行うので、使用者は電子メールの作成時に緊張の度合いが高くなったときでも、なごみを得ることができる。
【０２５７】
（第４の実施の形態）
第４の実施の形態に係る携帯電話機１００は、以下の点を除き第１の実施の形態に係る携帯電話機１００と同様の構成および動作を有する。
【０２５８】
本実施の形態に係る携帯電話機１００は、使用者の心理状態として、喜怒哀楽の度合いを推定する。使用者の喜怒哀楽の度合いの推定は、使用者の生理量データおよび音声データの解析結果に基づいて行う。
【０２５９】
本実施の形態では、生理量データとしてＧＳＲが用いられる。音声データとしては、第２の実施の形態で説明したように録音された使用者の会話の音声が用いられる。
【０２６０】
図２４は、使用者の喜怒哀楽の度合いを推定するためのデータの抽出方法を説明するための図である。
【０２６１】
図２４に示すように、携帯電話機１００は使用者の通話開始から通話終了までの使用者のＧＳＲおよび音声データを記憶する。そして、携帯電話機１００は、得られた音声データに基づいて使用者が発声した時間を特定する。これにより特定される時間を発声期間と呼ぶ。
【０２６２】
携帯電話機１００は、特定された発声期間の前後に所定の時間を付加することにより、記憶された音声データおよびＧＳＲのうち解析対象とする時間を決定する。これにより決定される時間を解析対象期間と呼ぶ。図２４では、解析対象期間が符号ＴＴ１および符号ＴＴ２で表されている。
【０２６３】
携帯電話機１００は、決定された解析対象期間ＴＴ１，ＴＴ２の各々において、音声データの解析を行う。その結果、携帯電話機１００は、解析対象期間ＴＴ１，ＴＴ２の各々における音声データのパラメータとして、発音のトーン、抑揚およびジッタを得る。なお、以下の説明において、トーン、抑揚およびジッタの解析結果は数値化されているものとする。
【０２６４】
また、携帯電話機１００は、決定された解析対象期間ＴＴ１，ＴＴ２の各々において、ＧＳＲの解析を行う。この解析は、解析対象期間ＴＴ１，ＴＴ２の各々において、測定されたＧＳＲの最大値から最小値までの差分値を算出することにより行う。以下、この差分値をＧＳＲ差分値と呼ぶ。
【０２６５】
図２４では、解析対象期間ＴＴ１，ＴＴ２ごとに算出されるＧＳＲ差分値が、それぞれ矢印ΔＧｍ１および矢印ΔＧｍ２で表されている。
【０２６６】
本実施の形態に係る携帯電話機１００には、図３の心理状態推定テーブル格納部１２２に後述の生理量感情推定テーブル、音声感情推定テーブル、感情推定基準テーブルおよびポイント決定テーブルが記憶されている。
【０２６７】
携帯電話機１００は、決定された解析対象期間ごとに、生理量データを解析することにより得られる上述のＧＳＲ差分値および生理量推定テーブルに基づいて後述の感情レベルを決定する。また、携帯電話機１００は、決定された解析対象期間ごとに、音声データを解析することにより得られる上述の発音のトーン、抑揚およびジッタおよび音声感情推定テーブルに基づいて後述の感情レベルを決定する。
【０２６８】
その後、携帯電話機１００は、ＧＳＲ差分値、トーン、抑揚およびジッタの各々に基づいて決定された複数の感情レベル、感情推定基準テーブルならびにポイント決定テーブルに基づいて使用者の喜怒哀楽の度合いを推定する。
【０２６９】
生理量感情推定テーブルおよび音声感情推定テーブルについて説明する。図２５は、図３の心理状態推定テーブル格納部１２２および音声解析テーブル格納部１２５に記憶される内容の一例を示す図である。ここでは、心理状態推定テーブル格納部１２２および音声解析テーブル格納部１２５に記憶される内容の一例として、生理量感情推定テーブルおよび音声感情推定テーブルが表されている。
【０２７０】
図２５（ａ）は心理状態推定テーブル格納部１２２に記憶される生理量感情推定テーブルの一例を表す。上述のように、測定された使用者のＧＳＲに基づいてＧＳＲ差分値が算出される。生理量感情推定テーブルにより算出されたＧＳＲ差分値に基づいて使用者の喜怒哀楽の度合いを推定するための感情レベルが決定される。感情レベルの決定は、所定の基準値に対するＧＳＲ差分値の大小関係に基づき決定される。
【０２７１】
図２５（ａ）においては、ＧＳＲ差分値ΔＧｍについて３つの基準値Ｋα，Ｋβ，Ｋγが設定されている。これら基準値Ｋα，Ｋβ，Ｋγは、Ｋα，Ｋβ，Ｋγの順に大きい。
【０２７２】
ＧＳＲ差分値ΔＧｍによる感情レベルの決定の一例を説明する。図２５（ａ）によれば、例えば、ＧＳＲ差分値ΔＧｍが基準値Ｋγ以上である場合、感情レベル３が決定され、ＧＳＲ差分値ΔＧｍが基準値Ｋβ以上であり、かつ、基準値Ｋγ未満である場合にも、感情レベル３が決定される。
【０２７３】
また、ＧＳＲ差分値ΔＧｍが基準値Ｋα以上であり、かつ、基準値Ｋβ未満である場合、感情レベル１が決定され、ＧＳＲ差分値ΔＧｍが基準値Ｋα未満である場合、感情レベル２が決定される。
【０２７４】
図２５（ｂ）は音声解析テーブル格納部１２５に記憶される音声感情推定テーブルの一例を表す。上述のように、使用者の音声データを解析することにより得られるトーン、抑揚およびジッタに基づいて使用者の喜怒哀楽の度合いを推定するための感情レベルが決定される。感情レベルの決定は、トーン、抑揚およびジッタの各々について行われ、予め設定された基準値に対するトーン、抑揚およびジッタの大小関係に基づき決定される。この場合、所定の基準値はトーン、抑揚およびジッタの各々について設定されている。
【０２７５】
図２５（ｂ）においては、トーンＴＯについて３つの基準値Ｌα，Ｌβ，Ｌγが設定されている。これら基準値Ｌα，Ｌβ，Ｌγは、Ｌα，Ｌβ，Ｌγの順に大きい。また、抑揚ＹＯについて３つの基準値Ｍα，Ｍβ，Ｍγが設定されている。これら基準値Ｍα，Ｍβ，Ｍγは、Ｍα，Ｍβ，Ｍγの順に大きい。さらに、ジッタＧＩについて３つの基準値Ｎα，Ｎβ，Ｎγが設定されている。これら基準値Ｎα，Ｎβ，Ｎγは、Ｎα，Ｎβ，Ｎγの順に大きい。
【０２７６】
トーンＴＯによる感情レベルの決定の一例を説明する。図２５（ｂ）によれば、例えば、トーンＴＯが基準値Ｌγ以上である場合、感情レベル３が決定され、トーンＴＯが基準値Ｌβ以上であり、かつ、基準値Ｌγ未満である場合にも、感情レベル３が決定される。
【０２７７】
また、トーンＴＯが基準値Ｌα以上であり、かつ、基準値Ｌβ未満である場合、感情レベル１が決定され、トーンＴＯが基準値Ｌα未満である場合、感情レベル３が決定される。
【０２７８】
感情推定基準テーブルおよびポイント決定テーブルについて説明する。図２６は、図３の心理状態推定テーブル格納部１２２に記憶される内容の一例を示す図である。ここでは、心理状態推定テーブル格納部１２２に記憶される内容の一例として、感情推定基準テーブルおよびポイント決定テーブルが表されている。
【０２７９】
図２６（ａ）は心理状態推定テーブル格納部１２２に記憶される感情推定基準テーブルの一例を表す。
【０２８０】
図２６（ａ）においては、ＧＳＲ差分値、トーン、抑揚およびジッタの各々に基づいて決定される感情レベルの組合せが、感情として、喜び、怒り、哀しみおよび楽しみの４つのグループに分類されている。このような、図２６（ａ）における感情レベルの組合せを基準組合せと呼ぶ。
【０２８１】
この基準組合せの一例を説明する。図２６（ａ）によれば、例えば、喜びについての基準組合せは、ＧＳＲ差分値に基づく感情レベルが３であり、トーンに基づく感情レベルが３であり、抑揚に基づく感情レベルが３であり、ジッタに基づく感情レベルが３である。
【０２８２】
このように定められた喜び、怒り、哀しみおよび楽しみの４つの基準組合せは、その後、測定により得られたＧＳＲ差分値ならびに音声データの解析により得られたトーン、抑揚およびジッタに基づく感情レベルの組合せ（以下、測定組合せと呼ぶ。）とそれぞれ比較される。
【０２８３】
基準組合せと測定組合せとの比較時においては、組み合わされた感情レベルごとの比較が行われる。そして、比較の結果として後述のポイントが決定される。
【０２８４】
図２６（ｂ）は心理状態推定テーブル格納部１２２に記憶されるポイント決定テーブルの一例を表す。図２６（ｂ）においては、基準組合せと測定組合せとの比較時の感情レベルの差異に応じたポイントが設定されている。
【０２８５】
基準組合せの各感情レベルと測定組合せの対応する感情レベルとを比較する場合を想定する。図２６（ｂ）によれば、その比較の結果、基準組合せの感情レベルと測定組合せの感情レベルとの間で差異がない場合、ポイントが３０として決定される。また、感情レベルの差異が１の場合、ポイントが２０として決定される。さらに、感情レベルの差異が２の場合、ポイントが１０として決定され、感情レベルの差異が３の場合、ポイントが０として決定される。
【０２８６】
図２７は測定組合せから喜怒哀楽の度合いを推定する場合の一例を説明するための図である。
【０２８７】
図２７（ａ）は測定組合せの一例を表す。図２７（ａ）では、ＧＳＲ差分値に基づく感情レベルが３であり、トーンに基づく感情レベルが３であり、抑揚に基づく感情レベルが３であり、ジッタに基づく感情レベルが３である旨が表されている。
【０２８８】
上述のように、喜怒哀楽の度合いの推定時において、図２７（ａ）で表される測定組合せは、図２６（ａ）で表される感情推定基準テーブルの喜び、怒り、哀しみおよび楽しみの４つの基準組合せとそれぞれ比較される。そして、測定組合せと基準組合せとの比較結果および図２６（ｂ）のポイント決定テーブルに基づいて後述の測定結果ポイントテーブルが作成される。測定結果ポイントテーブルは個人情報データ格納部１２３に記憶される。
【０２８９】
図２７（ｂ）は測定結果ポイントテーブルの一例を表す。図２７（ｂ）においては、図２７（ａ）で表される測定組合せの各感情レベルと図２６（ａ）の基準組合せの各感情レベルとの比較結果ならびに図２６（ｂ）のポイント設定テーブルに基づいて、喜び、怒り、哀しみおよび楽しみについてのポイントの組合せが表されている。
【０２９０】
ポイントの組合せの一例として、喜びに関するポイントの組合せについて説明する。
【０２９１】
上述のように、図２７（ａ）の測定組合せでは、ＧＳＲ差分値に基づく感情レベルが３であり、トーンに基づく感情レベルが３であり、抑揚に基づく感情レベルが３であり、ジッタに基づく感情レベルが３である。一方、図２６（ａ）の喜びの基準組合せでは、ＧＳＲ差分値に基づく感情レベルが３であり、トーンに基づく感情レベルが３であり、抑揚に基づく感情レベルが３であり、ジッタに基づく感情レベルが３である。
【０２９２】
したがって、これらをそれぞれ比較すると、全ての感情レベルが同一である。その結果、図２７（ａ）で表される測定組合せの各感情レベルと図２６（ａ）で表される基準組合せの各感情レベルとの差異が全て０となる。
【０２９３】
ここで、図２６（ｂ）のポイント決定テーブルによれば、測定組合せの感情レベルと基準組合せの感情レベルとの差異が０の場合、ポイントが３０として決定される。
【０２９４】
したがって、この場合、図２７（ｂ）で表されるように、喜びに関するポイントの組合せでは、ＧＳＲ差分値に基づくポイントが３０に決定され、トーンに基づくポイントが３０に決定され、抑揚に基づくポイントが３０に決定され、ジッタに基づくポイントが３０に決定される。
【０２９５】
同様に、怒り、悲しみおよび楽しみについても測定組合せの各感情レベルと基準組合せの各感情レベルとの比較が行われる。その結果、ポイントの組合せがそれぞれ決定される。
【０２９６】
図２７（ｂ）に表されるように、決定されたポイントは各組合せごとに合計される。
【０２９７】
すなわち、喜びに関するポイントの組合せでは、ＧＳＲ差分値に基づくポイント３０、トーンに基づくポイント３０、抑揚に基づくポイント３０およびジッタに基づくポイント３０が合計され、合計値１２０が算出される。一方、図２７（ｂ）によれば、怒りに関するポイントの組合せでは、合計値９０が算出される。他方、哀しみに関するポイントの組合せでは、合計値４０が算出される。さらに、楽しみに関するポイントの組合せでは、合計値１００が算出される。
【０２９８】
最後に、算出された合計値の減算処理が行われる。本実施の形態では、喜びに関するポイントの合計値から怒りに関するポイントの合計値の減算処理が行われ、楽しみに関するポイントの合計値から哀しみに関するポイントの合計値の減算処理が行われる。
【０２９９】
その結果、携帯電話機１００は、使用者の喜怒哀楽の度合いを、喜びと怒りとの関係および哀しみと楽しみとの関係により推定することができる。図２７（ｃ）は、上記の動作により得られる使用者の喜怒哀楽の度合いを表すグラフの一例である。
【０３００】
以上に示す使用者の喜怒哀楽の度合いの推定動作は、使用者の通話時に抽出された解析対象期間ごとに行われる。そして、解析対象期間が複数存在する場合、複数の推定結果に基づいて、さらに、その平均値が算出される。その結果、使用者は自己の通話時における喜怒哀楽の度合いを知ることができる。
【０３０１】
本実施の形態では、上述のように使用者の喜怒哀楽の度合いを推定するために、生理量感情推定テーブル、音声感情推定テーブル、感情推定基準テーブルおよびポイント決定テーブルを用いているが、これに限らず、使用者の通話中の喜怒哀楽の度合いを推定することができるのであれば、他のテーブルを用いて上記の推定動作を行ってもよい。
【０３０２】
また、上記では、使用者の喜怒哀楽の度合いを推定するためにパラメータとして、ＧＳＲ差分値、トーン、抑揚およびジッタを用いているが、使用者の喜怒哀楽の度合いを推定できるのであれば、パラメータはこれらに限られない。例えば、生理量データとして皮膚温度および脈拍等を用いてもよいし、ＧＳＲ測定値に基づいて所定の解析を行うことにより得られる他の値を用いてもよい。
【０３０３】
さらに、喜怒哀楽の推定に用いるパラメータの数は上記に限定されない。喜怒哀楽の推定に用いるパラメータをより多く用いることにより、使用者の喜怒哀楽の度合いの推定結果の精度が向上する。
【０３０４】
上記では、使用者の喜怒哀楽の度合いを推定するために使用者の発声期間から解析対象期間を設定しているが、これに限らず、使用者の通話時間中の全ての生理量データおよび音声データに基づいて喜怒哀楽の度合いを推定してもよい。
【０３０５】
上述の各種基準値は、それぞれ予め特定の値を定めることにより設定されてもよいし、各使用者の健康状態および性格等の特徴に応じて使用者ごとに設定されてもよい。
【０３０６】
図２８は、使用者が第４の実施の形態に係る携帯電話機１００を使用する場合にメイン表示部１３に表示される内容の一例を表す図である。以下の説明において、携帯電話機１００が使用者の通話中の喜怒哀楽の度合いを推定する動作を喜怒哀楽動作と呼ぶ。
【０３０７】
図２８（ａ）は、使用者が通話を終了した場合のメイン表示部１３の表示例を表す。メイン表示部１３には、使用者の通話時間が表示されるとともに、終了ボタン１３１および喜怒哀楽ボタン１８０が表示される。
【０３０８】
図２８（ｂ）は、メイン表示部１３が図２８（ａ）の表示状態において、使用者が喜怒哀楽ボタン１８０を選択した場合のメイン表示部１３の表示例を表す。
【０３０９】
図２８（ｂ）において、メイン表示部１３には、喜びと怒りの度合いからなる縦軸および悲しみと楽しみの度合いからなる横軸を有するグラフが表示されるとともに終了ボタン１３１が表示される。グラフ中には、使用者の通話中における喜怒哀楽の度合いの推定値がプロットされている。それにより、使用者は自己の通話中の喜怒哀楽の度合いを知ることができる。
【０３１０】
使用者はメイン表示部１３が図２８（ａ），（ｂ）の表示状態において、使用者が図１のカーソルボタンＫＫおよび決定ボタンＫＳ等を操作することにより終了ボタン１３１を選択した場合、携帯電話機１００の喜怒哀楽動作を終了させることができる。
【０３１１】
なお、使用者の通話前（例えば、発信時および着信時）において、メイン表示部１３には図８（ａ），（ｂ）の内容が表示されてもよい。
【０３１２】
さらに、携帯電話機１００は、使用者の通話中で、かつ、使用者の発声期間ごとに上記の喜怒哀楽動作を行うことにより、リアルタイムに図２８（ｂ）の内容を表示してもよい。
【０３１３】
上記の図２８（ｂ）においては、グラフ中のプロットされた点が通話中の複数の発声期間ごとに推定された使用者の喜怒哀楽の度合いの平均値を示す。しかしながら、これに限らず、図２８（ｂ）においては、使用者の通話時の発声期間ごとの推定内容が、全てプロットされてもよい。この場合、メモリ１２には、使用者の通話時の発声期間ごとの推定内容および音声データがプロットと対応付けて記憶されてもよい。ここで、使用者が特定のプロットを選択することにより、メイン表示部１３が推定内容を表示し、通話用スピーカ１５ｂが音声データを出力するように設定しておくことで、使用者は自己の発声時の喜怒哀楽の度合いを再確認することができる。
【０３１４】
図２８（ｂ）では、使用者の喜怒哀楽の度合いの推定結果を表示するために二次元のグラフが用いられているが、喜び、怒り、哀しみおよび楽しみの度合いについての推定結果を、各々棒グラフ状で表してもよい。
【０３１５】
また、本実施の形態では、使用者の喜怒哀楽の度合いを推定するために、図２６（ａ）において、喜び、怒り、哀しみおよび楽しみについての基準組合せを設定しているが、これに限らず、驚き、恐れ、不安および愛情等、様々な感情についても上述の基準組合せを設定してもよい。この場合、使用者はより様々な感情についての情報を得ることができる。
【０３１６】
本実施の形態に係る通信プログラムについて説明する。図２９〜図３１は、第４の実施の形態に係る通信プログラムの一例を示すフローチャートである。
【０３１７】
本実施の形態に係る通信プログラムによれば図２の制御部１０は次のように動作する。
【０３１８】
初めに、図２の制御部１０は、使用者による入力操作部１１の操作により喜怒哀楽モードをオンする旨の指令信号を受けたか否かを判別する（ステップＳ１００）。喜怒哀楽モードのオンとは、携帯電話機１００が上述の喜怒哀楽動作を行うことが可能な状態にすることをいう。
【０３１９】
制御部１０は、喜怒哀楽モードをオンする旨の指令信号を受けた場合、第２の実施の形態で説明したステップＳ３１〜ステップＳ３３と同様の動作を行う（ステップＳ１０１〜Ｓ１０３）。上記ステップＳ１０３において、制御部１０は、応答があった場合、生理量データの測定および音声データの録音を開始する（ステップＳ１０４）。
【０３２０】
次に、制御部１０は、通信が終了したか否かを判別する（ステップＳ１０５）。制御部１０は、通信が終了しない場合、上記ステップＳ１０４の動作を繰り返す。一方、制御部１０は、通信が終了した場合、生理量データの測定および音声データの録音を終了する（ステップＳ１０６）。
【０３２１】
続いて、制御部１０は、録音された音声データに基づいて使用者の発声を識別する（ステップＳ１０７）。そして、制御部１０は、使用者の発声があるか否かを判別する（ステップＳ１０８）。
【０３２２】
制御部１０は、使用者の発声がある場合、使用者の発声の時間を特定し、発声ごとに上述の解析対象期間を設定する（ステップＳ１０９）。
【０３２３】
制御部１０は、設定された解析対象期間ごとに、測定された生理量データおよび録音された音声データに基づいて使用者の発声時における喜怒哀楽の度合いを推定する（ステップＳ１１０）。
【０３２４】
そして、制御部１０は、推定された一または複数の喜怒哀楽の度合いに基づいて、通話中の喜怒哀楽の度合いの平均値を算出する（ステップＳ１１１）。
【０３２５】
これにより、制御部１０は、推定された通話中の喜怒哀楽の度合いをメイン表示部１３に表示する（ステップＳ１１２）。最後に、制御部１０は、図３の履歴データ格納部１２４に推定された喜怒哀楽の度合いを履歴データとして記憶する（ステップＳ１１３）。これにより、制御部１０は、本実施の形態に係る通信プログラムを終了する。
【０３２６】
また、制御部１０は、上記ステップＳ１０８において、使用者の発声がない場合、本実施の形態に係る通信プログラムを終了する。
【０３２７】
制御部１０は、上記ステップＳ１００において、喜怒哀楽モードがオンしない場合、第２の実施の形態のステップＳ５０〜Ｓ５３と同様の動作を行う（ステップＳ１２０〜Ｓ１２３）。制御部１０は、上記ステップＳ１２３において、通信が終了した場合、本実施の形態に係る通信プログラムを終了する。
【０３２８】
上記の本実施の形態に係る通信プログラムにおいては、ステップＳ１１３の動作により使用者の通話ごとに推定された喜怒哀楽の度合いが履歴データとして図３の履歴データ格納部１２４に記憶される。これにより、使用者は、履歴データ格納部１２４から履歴データを呼び出すことにより過去の通話時における自己の喜怒哀楽についての情報を得ることができる。
【０３２９】
なお、上記では、図２８の説明においてメイン表示部１３に表示される終了ボタン１３１および喜怒哀楽ボタン１８０の使用者による操作に基づく動作について説明を省略しているが、制御部１０は使用者が図２８の終了ボタン１３１を選択することにより通信プログラムを終了させ、使用者が喜怒哀楽ボタン１８０を選択することにより推定された喜怒哀楽の度合いをメイン表示部１３に表示させる。
【０３３０】
さらに、上記では、携帯電話機１００は推定された喜怒哀楽の度合いを履歴データとして記憶するとしているが、携帯電話機１００は推定された喜怒哀楽の度合いを履歴データとして記憶しなくてもよい。
【０３３１】
以上、本実施の形態においては、通話用スピーカ１５ｂに対する使用者の発声期間（解析対象期間）が制御部１０により判別され、使用者の発声期間に使用者の生体情報が検出される。それにより、通話相手および通話内容に依存する生体情報を取得することができる。
【０３３２】
また、本実施の形態においては、生理量データ測定部２０および通話用スピーカ１５ｂにより検出された生体情報に基づいて使用者の喜怒哀楽の度合いが制御部１０により推定される。それにより、通信相手に依存した使用者の喜怒哀楽を認識することができる。
【０３３３】
上記では、喜怒哀楽の度合いを推定をするために図２５の生理量感情推定テーブルおよび音声感情推定テーブルならびに図２６の感情推定基準テーブルおよびポイント決定テーブルを用いたが、生体情報を用いるのであれば、生理量データのみを用いて他の推定テーブルにより使用者の喜怒哀楽の度合いを推定してもよいし、音声データのみを用いて他の推定テーブルにより使用者の喜怒哀楽に度合いを推定してもよい。
【０３３４】
また、上記では、心理状態として使用者の発声時における喜怒哀楽の度合いを推定しているが、これに限らず、生体情報に基づいて使用者のうそを推定したり、緊張の度合いを推定してもよい。この場合、使用者は発声時の自己の心理状態について様々な情報を得ることができる。
【０３３５】
携帯電話機１００は、通話中でなくても、使用者の生体情報を検出し、検出された生体情報に基づいて喜怒哀楽の度合いを推定してもよい。他の実施の形態において後述するが、例えば、携帯電話機１００は使用者が電子メールを作成する際に使用者の生体情報を検出してもよい。この場合、使用者は自己の特定の通信相手への電子メールの作成時の喜怒哀楽の度合いについての情報を得ることができる。
【０３３６】
他の実施の形態において後述するが、携帯電話機１００は、検出された生体情報または推定された喜怒哀楽の度合いについての情報を他の通信装置に送信してもよい。
【０３３７】
本実施の形態において、上記各テーブルに設定される値は、第１の実施の形態に示すように通信相手（通話相手）ごとに設定されてもよいし、通信相手ごとに設定されなくてもよい。
【０３３８】
（第５の実施の形態）
第５の実施の形態に係る携帯電話機１００は、以下の点を除き第１の実施の形態に係る携帯電話機１００と同様の構成および動作を有する。
【０３３９】
本実施の形態に係る携帯電話機１００には、図３の動作設定記憶部１２１に後述のメール動作設定テーブルが記憶されている。
【０３４０】
携帯電話機１００は電子メールの作成時における使用者の生理量データを測定する。そして、携帯電話機１００は第１の実施の形態と同様に、測定された生理量データおよび図５の心理状態推定テーブルに基づいて使用者の電子メールの作成時の心理状態を推定する。
【０３４１】
さらに、本実施の形態に係る携帯電話機１００は、使用者により作成された電子メールに心理状態に応じた所定の絵文字を追加したり、所定の画像および音楽等のファイルを添付したりすることができる。
【０３４２】
メール動作設定テーブルについて説明する。図３２は、図３の動作設定記憶部１２１に記憶される内容の一例を示す図である。図３２のテーブルは、動作設定記憶部１２１に記憶されるメール動作設定テーブルの一例を表す。
【０３４３】
図３２によれば、携帯電話機１００が作成された電子メールの文中に追加する感情文字および作成された電子メールに添付する感情画像が、測定された生理量データおよび図５の心理状態推定テーブルにより決定される心理状態レベルごとに分類されている。
【０３４４】
例えば、心理状態レベル１に対する感情文字として、「（＾＾）；ヘ（＾＾）；ヘ」、「ドキッ（◎。◎）ドキッ」、「（ヘ＿ヘ；）」および「（”Ｑ”）」等が対応付けられている。また、心理状態レベル１に対する感情画像として、人間が非常に緊張している旨を連想させる画像および緊張の度合いを波で表した画像等が対応付けられている。
【０３４５】
例えば、携帯電話機１００は、使用者の電子メールの作成時に測定された生理量データおよび図５の心理状態推定テーブルに基づいて使用者の電子メールの作成時における心理状態レベルが１であると決定した場合、図３２のメール動作設定テーブルに基づいて電子メールに「（＾＾）；ヘ（＾＾）；ヘ」というような感情文字を追加したり、非常に緊張している旨を連想させる画像を添付したりする。これにより、本実施の形態に係る携帯電話機１００は、使用者の心理状態に応じた電子メールを通信相手に送信することができる。それにより、使用者は電子メールの作成時おける自己の心理状態を通信相手に伝えることができる。
【０３４６】
図３３および図３４は、使用者が第５の実施の形態に係る携帯電話機１００を使用する場合にメイン表示部１３に表示される内容の一例を表す図である。
【０３４７】
使用者は、電子メールを作成する場合に携帯電話機１００の入力操作部１１を操作する。
【０３４８】
図３３（ａ）は、使用者が電子メールの作成を終了した場合のメイン表示部１３の表示例を表す。メイン表示部１３には、使用者の作成した電子メールの内容が表示されるとともに送信ボタン１４０、編集ボタン１４１およびサブボタン１４２が表示される。
【０３４９】
ここで、使用者は、図１のカーソルボタンＫＫおよび決定ボタンＫＳ等を操作することにより、送信ボタン１４０、編集ボタン１４１およびサブボタン１４２の選択を行うことができる。
【０３５０】
図３３（ｂ）は、使用者が送信ボタン１４０を選択した場合のメイン表示部１３の表示例を表す。メイン表示部１３には、使用者の電子メールの作成中に検出された生体情報に基づいて推定される使用者の心理状態が新たなウィンドウ１３Ｓに表示されるとともに、感情追加ボタン１４０ａおよび感情追加なしボタン１４０ｂが表示される。
【０３５１】
使用者は、図１のカーソルボタンＫＫおよび決定ボタンＫＳ等を操作することにより、感情追加ボタン１４０ａおよび感情追加なしボタン１４０ｂの選択を行うことができる。
【０３５２】
図３４（ｃ）は、使用者が感情追加ボタン１４０ａを選択した場合のメイン表示部１３の表示例を表す。メイン表示部１３には、新たなウィンドウ１３Ｓに使用者が作成した電子メールに図３２の感情画像を添付して電子メールを送信をした旨が表示されるとともに終了ボタン１３１、編集ボタン１４１およびサブボタン１４２が表示される。
【０３５３】
図３４（ｄ）は、使用者が感情追加ボタン１４０ａを選択した場合のメイン表示部の他の表示例を表す。メイン表示部１３には、新たなウィンドウ１３Ｓに使用者が作成した電子メールに図３２の感情文字を追加して電子メールを送信した旨が表示されるとともに終了ボタン１３１、編集ボタン１４１およびサブボタン１４２が表示される。
【０３５４】
ここで、メイン表示部１３の図３４（ｃ），（ｄ）の表示状態において、使用者は、図１のカーソルボタンＫＫおよび決定ボタンＫＳ等を操作することにより終了ボタン１３１、編集ボタン１４１およびサブボタン１４２の選択を行うことができる。
【０３５５】
図３４（ｅ）は、使用者の作成した電子メールを受信した通信相手の携帯電話機１００のメイン表示部１３の表示例を表す。使用者が作成した電子メールに感情画像を添付して送信した場合、その電子メールを受信する通信相手のメイン表示部１３には、使用者により作成された電子メールの内容、使用者により作成された電子メールに添付された画像１４４、返信ボタン１４３、編集ボタン１４１およびサブボタン１４２が表示される。
【０３５６】
図３４（ｆ）は、使用者の作成した電子メールを受信した通信相手の携帯電話機１００のメイン表示部１３の他の表示例を表す。図３４（ｄ）に示すように、使用者が作成した電子メールに感情文字を追加して送信した場合、その送信を受信した通信相手のメイン表示部１３には、使用者により作成された電子メールの内容、使用者により作成された電子メールに追加された感情文字１４５、返信ボタン１４３、編集ボタン１４１およびサブボタン１４２が表示される。
【０３５７】
図３４（ｅ），（ｆ）において、使用者は、図１のカーソルボタンＫＫおよび決定ボタンＫＳ等を操作することにより返信ボタン１４３、編集ボタン１４１およびサブボタン１４２の選択を行うことができる。
【０３５８】
上記において、使用者が編集ボタン１４１を選択した場合、使用者は自己の作成する電子メールの内容を編集することができる。また、使用者がサブボタン１４２を選択した場合、使用者は他の機能（例えば、通信相手の電子メールアドレスの個人情報データへの登録等）を行うことができる。
【０３５９】
また、使用者が終了ボタン１３１を選択した場合、使用者は携帯電話機１００の電子メールの作成動作および送信動作を終了させることができる。さらに、使用者が返信ボタン１４３を選択した場合、受信した電子メールに対する返信用の電子メールを作成することができる。
【０３６０】
本実施の形態に係る通信プログラムについて説明する。図３５および図３６は、第５の実施の形態に係る通信プログラムの一例を示すフローチャートである。
【０３６１】
本実施の形態に係る通信プログラムによれば、図２の制御部１０は、次のように動作する。
【０３６２】
初めに、図２に制御部１０は、使用者による入力操作部１１の操作により感情メールモードをオンする旨の指令信号を受けたか否かを判別する（ステップＳ２００）。感情メールモードのオンとは、携帯電話機１００が使用者により作成された電子メールに使用者の心理状態に応じた感情文字を追加したり、感情画像を添付したりする機能を動作させる旨をいう。
【０３６３】
制御部１０は感情メールモードをオンする旨の指令信号を受けた場合、使用者が入力操作部１１を操作することによる電子メールの作成が開始されたか否かを判別する（ステップＳ２０１）。
【０３６４】
制御部１０は、使用者の電子メールの作成が開始された場合、生理量データの測定を開始する（ステップＳ２０２）。
【０３６５】
続いて、制御部１０は使用者が入力操作部１１を操作することにより送信ボタン１４０が選択されたか否かを判別する（ステップＳ２０３）。制御部１０は、送信ボタン１４０が選択された場合、生理量データの測定を終了し、測定された生理量データに基づいて使用者の電子メールの作成中の心理状態を推定する（ステップＳ２０４）。
【０３６６】
そして、制御部１０は、使用者の心理状態の推定結果をメイン表示部１３に表示する（ステップＳ２０５）。ここで、制御部１０は、使用者が感情追加ボタン１４０ａが選択されたか否かを判別する（ステップＳ２０６）。
【０３６７】
制御部１０は、感情追加ボタン１４０ａが選択された場合、推定された使用者の心理状態および図３２のメール動作設定テーブルに基づいて作成された電子メールに追加する感情文字または作成された電子メールに添付する感情画像を選択する（ステップＳ２０７）。
【０３６８】
ここで、制御部１０による感情文字および感情画像の選択は、通信相手に応じて予め特定の感情文字および感情画像を設定しておくことにより行ってもよい。また、制御部１０は、使用者の入力操作部１１の操作に基づいて、感情文字および感情画像の選択を行ってもよい。
【０３６９】
その後、制御部１０は、作成された電子メールへの感情文字の追加または感情画像の添付を行う（ステップＳ２０８）。最後に、制御部１０は、使用者により作成された電子メールの送信を行う（ステップＳ２１０）。これにより、本実施の形態に係る通信プログラムが終了する。
【０３７０】
なお、上記ステップＳ２０６において、感情追加ボタン１４０ａが選択されなかった場合、制御部１０は感情追加なしボタン１４０ｂが選択されたか否かを判別する（ステップＳ２０９）。制御部１０は、感情追加なしボタン１４０ｂが選択されなかった場合、上記ステップＳ２０６の動作を繰り返す。一方、制御部１０は、感情追加なしボタン１４０ｂが選択された場合、上記ステップＳ２１０の動作を行う。
【０３７１】
また、制御部１０は、上記ステップＳ２００において感情メールモードがオンしない場合、上記ステップＳ２０１と同様に制御部１０は、使用者が入力操作部１１を操作することにより電子メールの作成が開始されたか否かを判別する（ステップＳ２２０）。ここで、制御部１０は、電子メールの作成が開始されない場合、上記ステップＳ２００の動作を繰り返す。一方、制御部１０は、電子メールの作成が開始された場合、送信ボタン１４０が選択されたか否かを判別する（ステップＳ２２１）。
【０３７２】
制御部１０は、送信ボタン１４０が選択された場合、上記ステップＳ２１０の動作を行う、そして、制御部１０は、本実施の形態に係る通信プログラムを終了する。
【０３７３】
以上、本実施の形態においては、使用者が入力操作部１１を操作することにより任意の相手に送信する電子メールの作成を行っているときに、使用者の生体情報が検出される。それにより、電子メールの相手または電子メールの内容に依存する生体情報を取得することができる。
【０３７４】
なお、上記の例では、携帯電話機１００は、使用者のメール作成時の生体情報を検出しているが、これに限らず、携帯電話機１００は、使用者の電子メール送信時の生体情報を検出してもよい。さらに、携帯電話機１００は、電子メールが受信されたとき、および、受信された電子メールを閲覧しているときの使用者の生体情報を検出してもよい。
【０３７５】
この場合、使用者の電子メールの送信時、電子メールの受信時および受信された電子メールの閲覧時の使用者の生体情報が検出されることにより、携帯電話機１００は、電子メールの相手または電子メールの内容に依存する使用者の生体情報を取得することができる。
【０３７６】
また、本実施の形態においては、生理量データ測定部２０により検出された生体情報に基づいて使用者の心理状態が制御部１０により推定される。そして、推定された使用者の心理状態を示す情報が入力操作部１１により作成される電子メールに制御部１０により挿入される。その結果、使用者の心理状態を示す情報が挿入された電子メールが通信相手に送信される。
【０３７７】
本実施の形態においては、図３２に示した心理状態レベルに応じて感情文字および感情画像が設定されているが、これに限らず、使用者の緊張の度合い、使用者のうその発声または使用者の喜怒哀楽等の種々の心理状態の推定結果に応じて、感情文字および感情画像が設定されてもよい。この場合、使用者は自己の心理状態についての様々な情報を通信相手に伝えることができる。
【０３７８】
図３２のメール動作設定テーブルにおいては、使用者により作成された電子メールに追加する感情文字および電子メールに添付する感情画像が設定されているが、これに限らず、メール動作設定テーブルには、例えば、使用者の心理状態に応じて特定の音楽パターンが設定されてもよい。この場合、作成された電子メールに使用者の心理状態に応じた音楽パターンが添付されることにより、使用者は、自己の心理状態についての情報を音楽により通信相手に伝えることができる。
【０３７９】
上記では、心理状態レベルを決定するために図５の心理状態推定テーブルを用いたが、生体情報に基づく使用者の心理状態の推定は、図５の心理状態推定テーブルを用いることに限定されない。生体情報を用いるのであれば、生理量データのみを用いて他の推定テーブルにより心理状態レベルを決定してもよいし、電子メール作成時に使用者の音声データを取得して、その音声データを用いて心理状態レベルを決定してもよい。さらに、生理量データおよび音声データをともに用いて心理状態レベルを決定してもよい。
【０３８０】
携帯電話機１００は、電子メールの作成中でなくても、通話中に使用者の生体情報を検出してもよい。この場合、例えば、携帯電話機１００が、使用者の通話後に、使用者の心理状態に関する感情文字が追加された電子メールまたは感情画像の添付された電子メールをその通信相手に送信することにより、使用者は通話中の自己の心理状態についての様々な情報を通信相手に伝えることができる。
【０３８１】
（第６の実施の形態）
第６の実施の形態に係る携帯電話機１００は、以下の点を除き第１の実施の形態に係る携帯電話機１００と同様の構成および動作を有する。
【０３８２】
本実施の形態に係る携帯電話機１００は、使用者の通話中の生理量データを測定するとともに、心理状態を推定する。また、本実施の形態に係る携帯電話機１００は、使用者の通話中の音声データを録音し、測定された使用者の生理量データに基づいて録音された音声データの中から特定の期間の音声データを抽出し、記憶することができる。これにより、使用者は特定の期間の音声データ（通話内容）を再生することができる。
【０３８３】
ここで、特定の期間とは、例えば、使用者の生理量データが特定の状態となる場合、すなわち、その生理量データに基づいて心理状態が緊張していると推定される場合の期間をいう。なお、この特定の期間は、使用者が緊張している期間に限られない。
【０３８４】
本実施の形態では、第１の実施の形態で説明したように、生理量データとしてＧＳＲ、皮膚温度および脈拍が用いられる。音声データとしては、第２の実施の形態で説明したように、録音された使用者の会話の音声が用いられる。
【０３８５】
図３７は、使用者の通話中の生理量データの変化に基づいて特定の期間の音声データを抽出する方法を説明するための図である。図３７に示すように、携帯電話機１００は、使用者の通話終了時において、使用者の通話開始から通話終了までの使用者の皮膚温度、ＧＳＲおよび音声データを記憶している。
【０３８６】
ここで、本実施の形態において、図３の心理状態推定テーブル格納部１２２には、図５の心理状態推定テーブルに関する各種基準値の他、後述の特定通話期間を検出するための皮膚温度およびＧＳＲについての基準値ＴＴＨ，ＧＴＨが記憶されている。
【０３８７】
携帯電話機１００は、測定された皮膚温度およびＧＳＲ測定値と基準値ＴＴＨ，ＧＴＨの各々とを比較する。測定された皮膚温度と基準値ＴＴＨとの比較時において、携帯電話機１００は図３７に示すように、測定値が基準値ＴＴＨよりも低くなる場合の期間を皮膚温低下期間Ｓａ１〜Ｓａ３として特定する。
【０３８８】
一般に、人間は皮膚温度が低い場合に緊張状態である可能性が高いとされている。したがって、皮膚温低下期間Ｓａ１〜Ｓａ３において、使用者は緊張した状態にあると推定される。
【０３８９】
一方、測定されたＧＳＲと基準値ＧＴＨとの比較時において、携帯電話機１００は、図３７に示すようにＧＳＲ測定値が基準値ＧＴＨを超える期間をＧＳＲ検出期間Ｇａ１，Ｇａ２として特定する。
【０３９０】
一般に、人間はＧＳＲが高い場合に緊張状態である可能性が高いとされている。したがって、ＧＳＲ検出期間Ｇａ１，Ｇａ２においては、使用者は緊張した状態にあると推定される。
【０３９１】
ここで、本実施の形態では、精度よく使用者の緊張状態を検出するために上記の特定された皮膚温低下期間Ｓａ１〜Ｓａ３とＧＳＲ検出期間Ｇａ１，Ｇａ２との重複期間を検出する。そして、携帯電話機１００は、検出された皮膚温低下期間Ｓａ１〜Ｓａ３とＧＳＲ検出期間Ｇａ１，Ｇａ２との重複期間に基づいて、通話開始から通話終了までの全体の音声データＡＤＴの中から特定通話期間ＡＤ１，ＡＤ２の音声データを抽出する。なお、図３７に示すように、特定通話期間ＡＤ１，ＡＤ２において、符号ｅｔ１，ｅｔ２で表される期間は上記の重複期間の前後に余裕を見て付加される付加期間である。この付加期間ｅｔ１および付加期間ｅｔ２の長さは、それぞれ同一であってもよいし、互いに異なってもよい。このような付加期間ｅｔ１，ｅｔ２を設定することにより携帯電話機１００は、使用者の緊張時の前後における音声データも抽出することができる。
【０３９２】
特定通話期間ＡＤ１，ＡＤ２の音声データは、例えば図３の履歴データ格納部１２４に履歴データとして記憶されてもよい。この場合、使用者は履歴データを呼び出すことにより自己の通話中における緊張時の通話内容を再生することができる。
【０３９３】
図３８は、使用者が第６の実施の形態に係る携帯電話機１００を使用する場合にメイン表示部１３に表示される内容の一例を表す図である。
【０３９４】
使用者は、通話を行う場合に携帯電話機１００の入力操作部１１を操作する。
【０３９５】
図３８（ａ）は、通話中のメイン表示部１３の表示例を表す。メイン表示部１３には使用者が通話している際に現在の通話時間が表示され、使用者の生体情報を検出している旨および音声データを録音している旨が表示される。
【０３９６】
図３８（ｂ）は、使用者が通話を終了した場合のメイン表示部１３の表示例を表す。メイン表示部１３には、使用者の通話時間、使用者の通話中に検出された生体情報に基づいて推定される使用者の心理状態、終了ボタン１３１および再生ボタン１５０，１５１が表示される。
【０３９７】
ここで、使用者は、図１のカーソルボタンＫＫおよび決定ボタンＫＳ等を操作することにより終了ボタン１３１および再生ボタン１５０，１５１の選択を行うことができる。
【０３９８】
図３８（ｂ）における２つの再生ボタン１５０，１５１は、使用者の通話時に検出される上述の特定通話期間ＡＤ１，ＡＤ２の数に対応している。
【０３９９】
図３８（ｃ）は、メイン表示部１３が図３８（ｂ）の表示状態において、使用者が再生ボタン１５０，１５１を選択した場合のメイン表示部１３の表示例および通話用スピーカ１５ｂからの再生内容の一例を表す。図３８（ｃ）において、メイン表示部１３の表示内容は、図３８（ｂ）で表される表示内容と同様である。しかしながら、再生ボタン１５０，１５１が選択されると、通話用スピーカ１５ｂから上述の特定通話期間ＡＤ１，ＡＤ２において録音された音声データが再生される。
【０４００】
上記において、使用者が図１のカーソルボタンＫＫおよび決定ボタンＫＳ等を操作することにより終了ボタン１３１を選択した場合、使用者への音声データの再生動作は終了する。
【０４０１】
なお、上述のような特定通話期間の音声データの再生は、通話終了直後に限らず、使用者の過去の音声データをメモリ１２の履歴データ格納部１２４に記憶しておき、任意の時点で、記憶された音声データを呼び出すことにより上述のような特定通話期間の音声データの再生が行われてもよい。この場合、使用者は、図３の履歴データ格納部１２４に記憶された過去の音声データを、図１の入力操作部１１を操作することにより呼び出し、再生することができる。
【０４０２】
この場合の音声データの履歴データ格納部１２４への記憶は、第１の実施の形態と同様に通信相手ごとに行われてもよい。
【０４０３】
本実施の形態に係る通信プログラムについて説明する。図３９〜図４１は第６の実施の形態に係る通信プログラムの一例を示すフローチャートである。本実施の形態に係る通信プログラムによれば、図２の制御部１０は、次のように動作する。
【０４０４】
初めに、図２の制御部１０は、使用者による入力操作部１１の操作により他の電話機に対して発信する旨の指令信号を受けたか否かを判別する（ステップＳ３００）。制御部１０は、発信する旨の指令信号を受けた場合、通信相手から応答があったか否かを判別する（ステップＳ３０１）。制御部１０は、応答があった場合、生理量データの測定および音声データの録音を開始する（ステップＳ３０４）。
【０４０５】
一方、制御部１０は、上記ステップＳ３００において、発信する旨の指令信号を受けない場合、他の電話機からの着信があるか否かを判別する（ステップＳ３０２）。制御部１０は、着信がない場合、上記ステップＳ３００の動作を繰り返す。一方、制御部１０は、他の電話機からの着信があった場合、その着信に対して応答する旨の指令信号を受けたか否か判別する（ステップＳ３０３）。制御部１０は応答があった場合、上記ステップＳ３０４の動作を行う。
【０４０６】
制御部１０は、上記ステップＳ３０４の動作を行った後、通信が終了したか否かを判別する（ステップＳ３０５）。
【０４０７】
制御部１０は、通信が終了した場合、生理量データの測定および音声データの録音を終了する（ステップＳ３０６）。
【０４０８】
そして、制御部１０は、測定された生理量データのうち、皮膚温度およびＧＳＲの測定結果がともに各々に対応して設定された基準値ＴＴＨ，ＧＴＨを超えたか否かを判別する（ステップＳ３０７）。制御部１０は、皮膚温度およびＧＳＲの測定結果がともに基準値ＴＴＨ，ＧＴＨを超えない場合、後述のステップＳ３１０の動作を行う。
【０４０９】
制御部１０は、皮膚温度およびＧＳＲの測定結果がともに基準値ＴＴＨ，ＧＴＨを超えた場合、特定通話期間を決定する（ステップＳ３０８）。そして、制御部１０は、特定通話期間の音声データを抽出する（ステップＳ３０９）。
【０４１０】
その後、制御部１０は、測定された生理量データおよび図５の心理状態推定テーブルに基づいて使用者の通信中の心理状態を推定し（ステップＳ３１０）、推定された使用者の通信中の心理状態をメイン表示部１３に表示する（ステップＳ３１１）。
【０４１１】
制御部１０は、上記ステップＳ３１１の動作時において、使用者が入力操作部１１を操作することにより再生ボタン１５０，１５１が選択されたか否かを判別する（ステップＳ３１２）。制御部１０は、再生ボタン１５０，１５１が選択された場合、上記ステップＳ３０９において抽出された音声データを通話用スピーカ１５ｂから再生する（ステップＳ３１３）。一方、制御部１０は再生ボタン１５０，１５１が選択されなかった場合、または、上記ステップＳ３１３の動作後に、使用者が入力操作部１１を操作することにより終了ボタン１３１が選択されたか否かを判別する（ステップＳ３１４）。
【０４１２】
制御部１０は、終了ボタン１３１が選択された場合、通信相手、心理状態の推定結果および抽出された音声データに基づいて図７の履歴データの内容を更新する（ステップＳ３１５）。これにより、本実施の形態に係る通信プログラムが終了する。
【０４１３】
なお、本例では、第１の実施の形態と同様に、制御部１０は発信時または着信時において、通信相手についての情報を取得することにより特定の通信相手を識別しているものとする。
【０４１４】
本実施の形態において、上記ステップＳ３１０に示すような通話中全体における使用者の心理状態を推定しなくてもよい。
【０４１５】
上記の説明において、特定通話期間を決定するために測定された皮膚温度およびＧＳＲに対して設定される基準値は、予め特定の値を定めることにより設定されてもよいし、各使用者の健康状態および性格等の特徴に応じて使用者ごとに設定されてもよい。
【０４１６】
（第６の実施の形態における他の通信プログラムの例）
上記第６の実施の形態に係る通信プログラムは上述の図３９〜図４１の説明によるものに限られない。以下、第６の実施の形態に係る通信プログラムの他の例について説明する。図４２〜図４４は第６の実施の形態に係る通信プログラムの他の例を示すフローチャートである。図４２〜図４４に示される通信プログラムによれば、図２の制御部１０は、次のように動作する。
【０４１７】
初めに、図２の制御部１０は、上述のステップＳ３００〜Ｓ３０３と同様の動作を行う（ステップＳ３２０〜Ｓ３２３）。
【０４１８】
制御部１０は、ステップＳ３２１，Ｓ３２３において、応答があった場合、音声データの録音を開始し（ステップＳ３２４）、生理量データの測定を開始する（ステップＳ３２５）。
【０４１９】
そして、制御部１０は、予め定められた反応判定期間が経過したか否かを判別する（ステップＳ３２６）。反応判定期間とは、使用者が緊張しているか否かを判定するための期間である。
【０４２０】
制御部１０は、反応判定期間が経過していない場合、上記ステップＳ３２５の動作を繰り返す。一方、制御部１０は、反応判定期間が経過した場合、測定された生理量データのうち、皮膚温度およびＧＳＲの測定結果がともに各々に対応して設定された基準値を超えたか否かを判別する（ステップＳ３２７）。
【０４２１】
制御部１０は、皮膚温度およびＧＳＲ測定値がともに基準値を超えた場合、さらに所定の期間音声データの録音を継続し（ステップＳ３２８）、所定の期間が経過することにより音声データの録音を終了する（ステップＳ３２９）。一方、制御部１０は、皮膚温度およびＧＳＲがともに基準値を超えない場合、音声データの録音を終了し、反応判定期間に録音した音声データを消去する（ステップＳ３３０）。
【０４２２】
制御部１０は、上記ステップＳ３２９の動作の後、または、上記ステップＳ３３０の動作の後、通信が終了したか否かを判別する（ステップＳ３３１）。
【０４２３】
制御部１０は、通信が終了しない場合、上記ステップＳ３２４の動作を繰り返す。一方、制御部１０は、通信が終了した場合、生理量データの測定を終了し（ステップＳ３３１ｂ）、測定された生理量データに基づいて通信中の心理状態を推定する（ステップＳ３３２）。その後、制御部１０は、推定された使用者の通信中の心理状態をメイン表示部１３に表示する（ステップＳ３３３）。
【０４２４】
そして、制御部１０は、上述のステップＳ３１２〜Ｓ３１５と同様の動作を行う（ステップＳ３３４〜Ｓ３３７）。これにより、第６の実施の形態の他の例としての通信プログラムが終了する。
【０４２５】
上述の図４２〜図４４に基づき説明した通信プログラムによれば、使用者の通話全体の音声データを録音する必要がないので、図２のメモリ１２に記憶されるデータの容量が低減され、無駄のないデータ処理を行うことができる。
【０４２６】
以上、本実施の形態においては、制御部１０による生体情報の検出時に使用者の音声データが使用者のメモリ１２に記憶される。それにより、使用者は、相手に依存する使用者の音声の状態を記憶内容に基づいて容易に把握することができる。
【０４２７】
また、本実施の形態においては、制御部１０により検出された生理量データ（皮膚温度およびＧＳＲ）が各種基準値を超えたか否かが制御部１０により判別され、生理量データが基準値を超えたと判別された場合に、基準値を超えた時点を含む特定通話期間の使用者の音声データがメモリ１２に記憶される。それにより、使用者は、相手に依存して生体情報が大きく反応した場合の音声の状態を記憶内容により容易に把握することができる。
【０４２８】
上記では、特定通話期間を決定するために、生理量データのうち皮膚温度およびＧＳＲを用いているが、これに限らず、特定通話期間を決定するためのパラメータとしては、皮膚温度のみを用いてもよいし、ＧＳＲのみを用いてもよいし、脈拍のみを用いてもよいし、これらの組み合わせを用いてもよい。
【０４２９】
また、生理量データに限らず、生体情報であれば、音声データを解析することにより得られるトーン、抑揚およびジッタを用いてもよい。なお、この場合、各々のパラメータごとに基準値を設定する。
【０４３０】
本実施の形態においては、生体情報の基準値に対する大小関係により、特定通話期間を決定しているが、これに限らず、特定通話期間の決定は、携帯電話機１００による心理状態の推定結果に応じて行われてもよい。
【０４３１】
携帯電話機１００は、通話中でなくても、使用者の生体情報を検出してもよい。例えば、携帯電話機１００は使用者が電子メールを作成する際に使用者の生体情報を検出してもよい。この場合、使用者は自己の特定の通信相手への電子メールの作成時の心理状態についての情報を得ることができる。そして、使用者の電子メールの作成時に生体情報が所定の基準値を超えた場合に使用者の電子メールの内容や音声データを記録してもよい。
【０４３２】
他の実施の形態において後述するが、携帯電話機１００は、抽出された音声データまたは推定された心理状態についての情報を他の通信装置に送信してもよい。
【０４３３】
（第７の実施の形態）
第７の実施の形態に係る携帯電話機１００は、以下の点を除き第１の実施の形態に係る携帯電話機１００と同様の構成および動作を有する。
【０４３４】
本実施の形態に係る携帯電話機１００には、図３の音声解析テーブル格納部１２５に後述の質問識別テーブルが記憶されている。
【０４３５】
携帯電話機１００は、質問識別テーブルに基づいて、使用者の通話時における通話相手の質問を識別し、その質問に対する使用者の回答がうそであるか否かを判定することができる。
【０４３６】
本実施の形態では、生理量データとしてＧＳＲが用いられる。音声データとしては、上述の各実施の形態と同様に録音された使用者の会話の音声が用いられる。
【０４３７】
図４５は、図３の音声解析テーブル格納部１２５に記憶される内容の一例および使用者の回答がうそであるか否かの判定方法を説明するための図である。
【０４３８】
初めに、質問識別テーブルについて説明する。図４５（ａ）には、図３の音声解析テーブル格納部１２５に記憶される質問識別テーブルの一例が表されている。図４５（ａ）の例では、携帯電話機１００が、通話相手の発声のうち、語尾の抑揚が上昇し、かつ、語尾の単語が「ですか」の場合に質問であると識別し、その他の場合に質問ではないと識別する旨が表されている。これにより、本実施の形態に係る携帯電話機１００は、通話中における通話相手の発声が質問であるか否かを識別することができる。
【０４３９】
図４５（ｂ）に示すように、携帯電話機１００は、通話相手の発声および質問識別テーブルに基づいて質問Ｑｕ１，Ｑｕ２を識別した場合、その質問Ｑｕ１，Ｑｕ２に対する使用者の回答Ａｎｓ１，Ａｎｓ２を識別する。
【０４４０】
そして、携帯電話機１００は、図４５（ｃ）に示すように使用者の回答Ａｎｓ１，Ａｎｓ２として識別された期間のＧＳＲ測定値が所定の基準値ＧＴＨを超えたか否かを判別する。
【０４４１】
携帯電話機１００は、ＧＳＲ測定値が所定の基準値ＧＴＨを超えた場合、その測定時に対応する使用者の回答Ａｎｓ１がうそであると判定する。また、携帯電話機１００は、ＧＳＲ測定値が所定の基準値ＧＴＨを超えない場合、その測定時に対応する使用者の回答Ａｎｓ２が本当であると判定する。
【０４４２】
一般に、人間はＧＳＲが高い場合に緊張状態である可能性が高いとされている。したがって、ＧＳＲ測定値が所定の基準値ＧＴＨを超えた場合、使用者はうその回答をすることによる緊張状態にあると推定される。なお、上記の基準値ＧＴＨは予め特定の値を定めることにより設定されてもよいし、各使用者の健康状態および性格等の特徴に応じて使用者ごとに設定されてもよい。
【０４４３】
上述の携帯電話機１００による通話相手の質問の識別、使用者の回答の識別およびその回答がうそか否かの判定を含む一連の動作をうそ判定動作と呼ぶ。
【０４４４】
本実施の形態に係る携帯電話機１００は、上記うそ判定動作を行うとともに、使用者の回答がうそか否かの判定時に、その判定結果を使用者に通知するための後述のうそ回答時動作を行う。また、携帯電話機１００は、使用者の通話終了時に、その通話中における回答のうその数はどれほどであったかという診断結果を使用者に通知するための後述のうそ診断時動作を行う。
【０４４５】
うそ回答時動作およびうそ診断時動作は、以下に説明するうそ通知動作設定テーブルに基づき行われる。以下、使用者の回答がうそと判定されるときをうそ回答時と呼び、使用者の通話が終了して使用者の通話中の回答のうその数が診断されるときをうそ診断時と呼ぶ。
【０４４６】
うそ通知動作設定テーブルについて説明する。図４６は、図３の動作設定記憶部１２１に記憶されるうそ通知動作設定テーブルの一例を示す図である。
【０４４７】
図４６では、うそ回答時およびうそ診断時の各々に対してうそメロディパターン、うそ発光パターンおよびうそ表示パターンの組合わせが分類されている。例えば、うそ発声時の場合、うそメロディパターンとして「ブーブー」が設定され、うそ発光パターンとして「赤色を点灯」が設定され、うそ表示パターンとして「うそをついています」が設定されている。
【０４４８】
これにより、携帯電話機１００はうそ回答時およびうそ診断時に上記の各パターンに基づく動作を行う。それにより、使用者は自己のうその回答を知ることができる。
【０４４９】
図４６に示すように、本実施の形態では、使用者の通話中のうその数に応じて上述のうそ診断時動作を行うためのうそレベルが設定されている。例えば、使用者が通話中に３度回答した場合にそれらの全ての回答がうそであると判定されるとうそレベル１が決定され、３度の回答のうち２度の回答がうそである場合にうそレベル２が決定され、３度の回答のうち１度の回答がうそである場合にうそレベル３が決定される。
【０４５０】
うそレベルの決定方法は特に限定されない。例えば、上記の他、通話中の全ての回答回数に対するうその回答回数の比率に応じて定められてもよい。また、うそレベルのレベルの数も上記に限定されない。
【０４５１】
うそ診断時においては、うそレベルごとにうそメロディパターン、うそ発光パターンおよびうそ表示パターンの組合わせが分類されている。例えば、うそ診断時のうそレベル３に対しては、うそメロディパターンとして「ブーブー」が設定され、うそ発光パターンとして「赤色を点灯」が設定され、うそ表示パターンとして、うその数が多いことを棒グラフで表したうそレベルメータおよび「大うそつきー！」のコメントが設定されている。
【０４５２】
これにより、携帯電話機１００はうそ診断時にうそレベルの決定結果に基づいて上記の各パターンの動作を行う。それにより、使用者は自己の通話中におけるうその回答回数を知ることができる。
【０４５３】
ここで、本実施の形態に係る携帯電話機１００においては、上記のように、使用者の回答時にその回答のうそまたは本当のみを判定しなくてもよい。後述するように、携帯電話機１００は使用者の回答時に、その回答のうその度合いを判定してもよい。この場合、うそ通知動作設定テーブルの設定内容は上記と異なる。
【０４５４】
この場合のうその度合いの判定方法およびこの判定時に用いられるうそ通知動作設定テーブルの一例について説明する。
【０４５５】
図４７は使用者の回答のうその度合いを判定するための判定方法を説明するための図および図３の動作設定記憶部１２１に記憶されるうそ通知動作設定テーブルの他の例を示す図である。
【０４５６】
図４７（ａ）に、使用者の回答のうその度合いを判定するための判定方法が表されている。本例では、使用者の回答時のＧＳＲの測定結果を２つの基準値ＧＴＨ１，ＧＴＨ２でレベル分けする。それにより、ＧＳＲの測定結果と２つの基準値ＧＴＨ１，ＧＴＨ２との大小関係に基づいて、使用者の回答ごとにその回答のうその度合いを示すうそ度レベルを決定する。なお、図４７に示すように、２つの基準値ＧＴＨ１，ＧＴＨ２は、この順に大きい。これにより、本例では、うそ度レベルは１〜３に分けられている。
【０４５７】
例えば、使用者の回答時におけるＧＳＲ測定値が基準値ＧＴＨ１，ＧＴＨ２をともに超える場合、その回答のうそ度レベルは最も大きい３となる。また、使用者の回答時におけるＧＳＲ測定値が基準値ＧＴＨ１，ＧＴＨ２の間にある場合、その回答のうそ度レベルは中程度を示す２となる。
【０４５８】
図４７（ｂ）に、上記のうそ度レベルに基づくうそ通知動作設定テーブルの一例が表されている。図４７（ｂ）には、うそ回答時における上述のうそ度レベルに応じてうそメロディパターン、うそ発光パターンおよびうそ表示パターンの組合わせが分類されている。
【０４５９】
例えば、うそ回答時のうそ度レベル２に対しては、うそメロディパターンとして「ピロリロー」が設定され、うそ発光パターンとして「青色を点灯」が設定され、うそ表示パターンとしてうその度合いが中程度であることを棒グラフで表したうそレベルメータが設定されている。
【０４６０】
これにより、携帯電話機１００はうそ回答時にうそ度レベルに基づいて上記の各パターンの動作を行う。それにより、使用者は通話相手の質問に対する回答時に自己の回答のうその度合いを知ることができる。
【０４６１】
ところで、本実施の形態において、携帯電話機１００は使用者の通話中のうその診断結果を履歴データとして、図３の履歴データ格納部１２４に記憶する。図４８は、過去のうその診断結果を含む履歴データの一例を示す図である。
【０４６２】
図４８に示すように、本実施の形態では通信相手ごとに過去のうその診断結果が履歴データの一部として図３の履歴データ格納部１２４に記憶されている。これにより、使用者は履歴データを呼び出すことにより、特定の通信相手に対する過去のうその診断結果を知ることができる。
【０４６３】
例えば、図４８の履歴データには、通信相手ＡＡに対応して、上述の第１の実施の形態の図７において説明した内容とともに過去のうその診断結果がうそレベル１として記憶されている。
【０４６４】
以下の説明において、図３の動作設定記憶部１２１には図４６のうそ通知動作設定テーブルが記憶されているものとする。したがって、携帯電話機１００は、使用者の通話時に使用者の回答のうそまたは本当を判定し、うそ診断時に、その通話中のうその回答回数を判定してもよい。
【０４６５】
図４９および図５０は、使用者が第７の実施の形態に係る携帯電話機１００を使用する場合にメイン表示部１３に表示される内容の一例を表す図である。
【０４６６】
使用者は、通話を行う場合に携帯電話機１００の入力操作部１１を操作する。
【０４６７】
図４９（ａ）は、使用者の通話中のメイン表示部１３の表示例を表す。メイン表示部１３には、使用者が通話している際に現在の通話時間が表示され、使用者の生体情報を検出している旨が表示される。使用者の通話中に使用者の回答がうそであると判定された場合、メイン表示部１３の表示が切り替わる。
【０４６８】
図４９（ｂ）は、通話中であって、使用者の回答がうそであると判定された場合にメイン表示部１３に表示される内容の一例を表す図である。メイン表示部１３には、現在の通話時間および生体情報を検出している旨が表示されるとともに、使用者の回答がうそである旨のうそ表示パターンが表示される。
【０４６９】
このメイン表示部１３の表示状態においては、図４６のうそ回答時のうそ発光パターン「赤色を点灯」でサブ表示部１４が発光するとともに、図４６のうそ回答時のうそメロディパターン「ブーブー」でスピーカ１５ａが音声出力する。
【０４７０】
使用者またはその通話相手が携帯電話機１００の入力操作部１１を操作することにより通話が終了する。
【０４７１】
図４９（ｃ）は、使用者が通話を終了した場合のメイン表示部１３の表示例を表す。通話終了とともに、携帯電話機１００は上述のうそ診断動作を行う。その結果、メイン表示部１３には、使用者の通話時間が表示されるとともに、使用者の通話中のうその回答回数を棒グラフで表したうそレベルメータおよび「なかなかうそつき！？」のコメントが表示される。なお、図４９（ｃ）の表示例では、使用者のうそレベルは２であると診断されている。さらに、メイン表示部１３には終了ボタン１３１およびバツボタン１６０が表示されている。
【０４７２】
このメイン表示部１３の表示状態においては、図４６のうそ診断時のうそ発光パターン「青色を点灯」でサブ表示部１４が発光するとともに、図４６のうそ回答時のうそメロディパターン「ピロリロー」でスピーカ１５ａが音声出力する。
【０４７３】
一方、図３の動作設定記憶部１２１に図４７のうそ通知動作設定テーブルが記憶されている場合、制御部１０は、使用者の通話中に回答のうその度合いを判定し、うそ通知動作設定テーブルに基づく動作を行う。
【０４７４】
図５０（ｄ）は、図３の動作設定記憶部１２１に図４７のうそ通知動作設定テーブルが記憶されている場合の使用者の通話中におけるメイン表示部１３の表示例を表す。
【０４７５】
メイン表示部１３には、使用者の通話時間が表示されるとともに、使用者の通話中の回答のうその度合いの判定結果を棒グラフで表したうそレベルメータが表示される。なお、図５０（ｄ）の表示例では、使用者のうそレベルは２であると診断されている。さらに、メイン表示部１３には終了ボタン１３１およびバツボタン１６０が表示されている。
【０４７６】
このメイン表示部１３の表示状態においては、図４７（ｂ）のうそ回答時のうそ発光パターン「青色を点灯」でサブ表示部１４が発光するとともに、図４６のうそ回答時のうそメロディパターン「ピロリロー」でスピーカ１５ａが音声出力する。
【０４７７】
メイン表示部１３の図４９（ｃ）および図５０（ｄ）の表示状態において、使用者は、図１のカーソルボタンＫＫおよび決定ボタンＫＳ等を操作することにより、終了ボタン１３１およびバツボタン１６０のいずれかを選択することができる。
【０４７８】
使用者が入力操作部１１を操作することにより終了ボタン１３１を選択した場合、上述のうそ判定動作、うそ回答時動作およびうそ診断時動作が終了する。
【０４７９】
ここで、本実施の形態に係る携帯電話機１００は使用者の通話終了後に、判定された使用者の回答のうその度合いまたはうその回答回数等に応じて、メイン表示部１３にバツゲームに関する情報を表示してもよい。
【０４８０】
図５０（ｅ）は、使用者がバツボタン１６０を選択した場合のメイン表示部１３の表示例である。図５０（ｅ）によれば、メイン表示部１３には、使用者の回答のうその度合いまたはうその回答回数等に応じたコメント「なかなかうそつきなあなた！！」が表示され、バツゲームとしてのコメント「隣の人の肩たたきをしてください」が表示されている。
【０４８１】
また、図５０（ｅ）においても終了ボタン１３１が表示されているが、上記同様に、使用者が入力操作部１１を操作することにより終了ボタン１３１を選択した場合、うそ判定動作、うそ回答時動作およびうそ診断時動作が終了する。
【０４８２】
本実施の形態に係る通信プログラムについて説明する。図５１〜図５３は第７の実施の形態に係る通信プログラムの一例を示すフローチャートである。なお、このフローチャートによれば、携帯電話機１００は使用者の回答がうそか否かを判定し、通話終了時にうその回答回数に基づくうそ診断を行うことができる。
【０４８３】
本実施の形態に係る通信プログラムによれば、図２の制御部１０は、次のように動作する。
【０４８４】
初めに、図２の制御部１０は、使用者による入力操作部１１の操作によりうそ発見モードをオンする旨の指令信号を受けたか否かを判別する（ステップＳ４００）。うそ発見モードのオンとは、携帯電話機１００が上述のうそ判定動作、うそ回答時動作およびうそ診断時動作を行うことが可能な状態にすることをいう。
【０４８５】
制御部１０は、うそ発見モードをオンする旨の指令信号を受けた場合、第２の実施の形態で説明したステップＳ３１〜ステップＳ３３と同様の動作を行う（ステップＳ４０１〜Ｓ４０３）。上記ステップＳ４０３において、制御部１０は、応答があった場合、生理量データの測定および通信相手の音声データの解析を開始する（ステップＳ４０４）。
【０４８６】
その後、制御部１０は、通信相手が発声し、かつ、その発声が質問であるか否かを図４５の質問識別テーブルに基づき識別する（ステップＳ４０５）。そして、制御部１０は、通信相手の発生が質問であると判別した場合、使用者が回答したか否かを識別する（ステップＳ４０６）。ここで、制御部１０は、使用者が回答した場合、使用者の回答時のＧＳＲ測定値が基準値ＧＨＴを超えたか否かを判別する（ステップＳ４０７）。
【０４８７】
制御部１０は、使用者の回答時のＧＳＲ測定値が基準値ＧＨＴを超えた場合、その使用者の回答をうそと判定し、その旨を一時的に図２のメモリ１２に記憶する（ステップＳ４０８）。
【０４８８】
そして、制御部１０は、図４６のうそ通知動作設定テーブルのうそ回答時に対応するうそ表示パターンをメイン表示部１３に表示させ、うそ回答時に対応するうそ発光パターンで図２のサブ表示部１４を発光させ、うそ回答時に対応するメロディパターンでスピーカ１５ａから音声を出力させる（ステップＳ４０９）。
【０４８９】
次いで、制御部１０は通信が終了したか否かを判別する（ステップＳ４１１）。ここで、上記ステップＳ４０７において、制御部１０は、使用者の回答時のＧＳＲ測定値が基準値ＧＨＴを超えない場合、その使用者の回答を本当と判定し、その旨を一時的に図２のメモリ１２に記憶する（ステップＳ４１０）。そして、制御部１０は上記ステップＳ４１１の動作を行う。
【０４９０】
制御部１０は、通信が終了しない場合、上記ステップＳ４０４の動作を繰り返す。一方、制御部１０は、通信が終了した場合、上記ステップＳ４０８およびステップＳ４１０においてメモリ１２に一時的に記憶された内容に基づいてうその回答回数および本当の回答回数を算出し、上述のうそレベルを確定する（ステップＳ４１２）。
【０４９１】
これにより、制御部１０は、確定されたうそレベルおよび図４６のうそ通知動作設定テーブルに基づいて、確定されたうそレベルに対応するうそ表示パターンをメイン表示部１３に表示させ、確定されたうそレベルに対応するうそ発光パターンで図２のサブ表示部１４を発光させ、確定されたうそレベルに対応するメロディパターンでスピーカ１５ａから音声を出力させる（ステップＳ４１３）。
【０４９２】
最後に、制御部１０は、図３の履歴データ格納部１２４に、確定されたうそレベルを履歴データとして記憶する（ステップＳ４１４）。これにより、制御部１０は、本実施の形態に係る通信プログラムを終了する。
【０４９３】
制御部１０は、上記ステップＳ１００において、うそ発見モードがオンしない場合、第２の実施の形態のステップＳ５０〜Ｓ５３と同様の動作を行う（ステップＳ４２０〜Ｓ４２３）。制御部１０は、上記ステップＳ４２３において、通信が終了した場合、本実施の形態に係る通信プログラムを終了する。
【０４９４】
上記の本実施の形態に係る通信プログラムにおいては、ステップＳ４１４の動作により使用者の通話ごとに確定されたうそレベルが履歴データとして図３の履歴データ格納部１２４に記憶される。これにより、使用者は、履歴データ格納部１２４から履歴データを呼び出すことにより過去の通話時における自己の回答についての情報を得ることができる。
【０４９５】
なお、上記では、図４９および図５０の説明においてメイン表示部１３に表示される終了ボタン１３１およびバツボタン１６０の使用者による操作に基づく動作については省略しているが、制御部１０は上記図４９および図５０説明のように使用者が終了ボタン１３１を選択することにより通信プログラムを終了させ、使用者がバツボタン１６０を選択することにより確定されたうそレベルに応じたバツゲームに関するコメントをメイン表示部１３に表示させる動作を行う。
【０４９６】
さらに、上記では、携帯電話機１００は確定されたうそレベルを履歴データとして記憶するとしているが、携帯電話機１００は確定されたうそレベルを履歴データとして記憶しなくてもよい。
【０４９７】
以上、本実施の形態においては、無線通信部３０およびアンテナ３１により受信された音声データに基づいて通話相手からの質問を示す音声データが制御部１０により識別され、質問を示す音声データが識別されたときに使用者の生体情報が検出される。それにより、通話相手および通話内容に依存する生体情報を取得することができる。
【０４９８】
また、本実施の形態においては、生理量データ測定部２０により検出された生体情報に基づいて使用者のうそが推定手段により推定される。それにより、通信相手に依存した使用者のうそを認識することができる。
【０４９９】
上述の基準値ＧＴＨ，ＧＴＨ１，ＧＴＨ２は通信相手ごとに設定されてもよい。
【０５００】
本実施の形態では、使用者の回答のうそを判定するために、生理量データとしてＧＳＲのみが用いられているが、これに限らず、使用者の回答のうそを判定するためのパラメータとしては、皮膚温度のみを用いてもよいし、ＧＳＲのみを用いてもよいし、脈拍のみを用いてもよいし、これらの組み合わせを用いてもよい。
【０５０１】
また、生理量データに限らず、生体情報であれば、音声データを解析することにより得られるトーン、抑揚およびジッタを用いてもよい。なお、この場合、各々のパラメータごとに基準値を設定する。
【０５０２】
上記では、使用者の携帯電話機１００による通話中で、かつ使用者の回答中に限り、ＧＳＲ測定値に基づく使用者のうその判定を行っているが、これに限らず、使用者の通話時間を通じて、通話全体のＧＳＲに基づき使用者の通話中のうその度合いを判定してもよい。この場合、使用者は通話全体の自己の発言時の生体情報に基づいてうその度合いの判定を行うことで、その通話時全体を通してうそに関する様々な情報を得ることができる。
【０５０３】
携帯電話機１００は、通話中でなくても、使用者の生体情報を検出してもよい。例えば、携帯電話機１００は使用者が電子メールによる質問に対して、使用者が回答する場合の生体情報を検出してもよい。この場合、その生体情報に基づいて、質問に対する回答の電子メールのうその度合いを判定することができる。さらに、判定された内容を回答の電子メールに添付して送信してもよい。この場合、使用者は回答の電子メールを作成する時のうその度合いについての情報を得ることができる。
【０５０４】
他の実施の形態において後述するが、携帯電話機１００は、検出された生体情報または推定された心理状態についての情報を他の通信装置に送信してもよい。
【０５０５】
さらに、上記では、使用者の通話中に回答がうそか否かの判定を行い、使用者の通話後にその通話中におけるうその回答回数についての診断を行っているが、これらの動作は必ずしもともに行われる必要はない。携帯電話機１００は、使用者の通話中における回答のうそか否かの判定のみを行ってもよいし、使用者の通話時のうその回答回数についての診断のみを行ってもよい。
【０５０６】
（第８の実施の形態）
第８の実施の形態に係る通信システムについて説明する。本実施の形態に係る通信システムは第１の実施の形態に係る携帯電話機１００、診断者用電話機および診断者用コンピュータを含む。
【０５０７】
図５４は、第８の実施の形態に係る通信システムの概要を説明するための図である。本実施の形態に係る通信システム７００によれば、使用者（本実施の形態では、患者と呼ぶ。）は携帯電話機１００を用いて医者、カウンセラー等の診断者と通話することにより、その通話時の生体情報を診断者に送信することができる。そして、診断者は、送信された生体情報に対するアドバイスを診断コンピュータにより患者に送信することができる。
【０５０８】
図５４（ａ）は、患者ＰＡと診断者ＤＯとの間で通話がなされている様子を表す。図５４（ａ）に示すように、患者ＰＡは携帯電話機１００を用いている。また、診断者ＤＯは診断用電話機１００Ｘを用いている。患者ＰＡと診断者ＤＯとの通話時において、携帯電話機１００は使用者の生体情報を検出する。
【０５０９】
ここでは、携帯電話機１００は、生体情報として第１の実施の形態に示すように患者ＰＡの生理量データ（ＧＳＲ、皮膚温度および脈拍等）を測定してもよいし、第２の実施の形態に示すように音声データを解析することにより得られるパラメータ（トーン、抑揚およびジッタ等）を測定してもよい。
【０５１０】
図５４（ｂ）は、患者ＰＡと診断者ＤＯとの通話終了時の様子を表す。通話終了時において、患者ＰＡの携帯電話機１００は、通話中に検出された生体情報、すなわち、患者ＰＡの生理量データおよび音声データを、例えば、電子メールＤＡ１により診断者ＤＯの診断コンピュータ１００ＰＣへ送信する。これにより、診断者ＤＯは送信された電子メールＤＡ１に基づいて、患者ＰＡの生体情報を診断コンピュータ１００ＰＣにより確認することができる。
【０５１１】
そして、診断者ＤＯは患者ＰＡの生体情報およびその生体情報が検出された通話中の通話内容に基づいて患者ＰＡの健康状態を分析することができる。
【０５１２】
図５４（ｃ）は、診断者ＤＯが患者ＰＡに対して健康状態に関するアドバイスを行う様子を表す。診断者ＤＯは、患者ＰＡの健康状態を分析するとともに、その健康状態に対するアドバイスを診断コンピュータ１００ＰＣを用いて電子メールＤＡ２により患者ＰＡの携帯電話機１００に送信する。
【０５１３】
このように、本実施の形態に係る通信システム７００によれば、診断者ＤＯは通話中の患者ＰＡの生体情報および通話内容に基づいて患者ＰＡの健康状態を分析することができるので、患者ＰＡへ健康状態に関する正確なアドバイスを行うことができる。一方、患者ＰＡは送信された電子メールＤＡ２に基づいて、自己の健康状態に関する正確なアドバイスを得ることができる。
【０５１４】
図５５および図５６は、患者ＰＡが第８の実施の形態に係る通信システム７００の携帯電話機１００を使用する場合にメイン表示部１３に表示される内容の一例を表す図である。
【０５１５】
患者ＰＡは、通話を行う場合に携帯電話機１００の入力操作部１１を操作する。
【０５１６】
図５５（ａ）は、患者ＰＡが診断者ＤＯに電話をかけた場合（発信時）の携帯電話機１００のメイン表示部１３の表示例を表す。メイン表示部１３には、携帯電話機１００が診断者ＤＯ（図５５（ａ）では、ストレス診断窓口）の診断用電話機１００Ｘへ発信している旨および診断用電話機１００Ｘの電話番号が表示される。
【０５１７】
図５５（ｂ）は、患者ＰＡと診断者ＤＯとの通話中の携帯電話機１００のメイン表示部１３の表示例を表す。メイン表示部１３には、現在の通話時間が表示され、患者ＰＡの生体情報を検出している旨が表示される。
【０５１８】
図５６（ｃ）は、患者ＰＡと診断者ＤＯとの間で通話が終了した場合の携帯電話機１００のメイン表示部１３の表示例を表す。メイン表示部１３には、使用者の通話終了時に患者ＰＡの通話時間が表示されるとともに通話中に検出された生体情報に関するデータを診断者ＤＯに送信する旨が表示され、中止ボタン１９０が表示される。
【０５１９】
患者ＰＡは携帯電話機１００の入力操作部１１を操作することにより中止ボタン１９０を選択することができる。患者ＰＡが中止ボタン１９０を選択した場合、診断者ＤＯへのデータの送信動作およびメイン表示部１３の表示動作が中止される。
【０５２０】
患者ＰＡが中止ボタン１９０を選択しない場合には、診断者ＤＯに対して生体情報に関するデータが電子メールにより送信される。
【０５２１】
図５６（ｄ）は、通話終了後に診断者ＤＯからアドバイスに関するデータを受信した携帯電話機１００のメイン表示部１３の表示例を表す。
【０５２２】
この場合、図５６（ｄ）に示すようにメイン表示部１３には、受信した電子メールの旨、受信メールの内容、返信ボタン１４３、編集ボタン１４１およびサブボタン１４２が表示される。
【０５２３】
これにより、患者ＰＡは自己の生体情報および診断者ＤＯとの通話内容に基づく自己の健康状態に関するアドバイスを得ることができる。
【０５２４】
なお、図５６（ｄ）において、返信ボタン１４３、編集ボタン１４１およびサブボタン１４２についての各種機能は、第５の実施の形態で説明した通りである。
【０５２５】
上記のように、通話中に検出された患者ＰＡの生体情報を、通話終了後に自動的に診断者ＤＯに送信する携帯電話機１００の動作をストレス診断動作と呼ぶ。
【０５２６】
本実施の形態に係る通信プログラムについて説明する。図５７および図５８は第８の実施の形態に係る通信プログラムの一例を示すフローチャートである。
【０５２７】
本実施の形態に係る通信プログラムによれば、図２の携帯電話機１００の制御部１０は、次のように動作する。
【０５２８】
初めに、携帯電話機１００の制御部１０は、使用者による入力操作部１１の操作によりストレス診断モードをオンする旨の指令信号を受けたか否かを判別する（ステップＳ５００）。ストレス診断モードのオンとは、携帯電話機１００が上述のストレス診断動作を行うことが可能な状態にすることをいう。
【０５２９】
制御部１０は、ストレス診断モードをオンする旨の指令信号を受けた場合、患者ＰＡが入力操作部１１を操作することにより診断者ＤＯの診断用電話機１００Ｘに対する発信の旨の指令信号を受けたか否かを判別する（ステップＳ５０１）。
【０５３０】
制御部１０は、発信の旨の指令信号を受けた場合、その指令信号に基づく所定の動作を行い、診断者ＤＯから応答があったか否かを判別する（ステップＳ５０２）。制御部１０は、応答があった場合、生体情報の検出、すなわち、生理量データの測定および音声データの録音を行う（ステップＳ５０３）。
【０５３１】
その後、制御部１０は通信が終了したか否かを判別する（ステップＳ５０４）。制御部１０は、通信が終了しない場合、上記ステップＳ５０３の動作を繰り返す。
【０５３２】
一方、制御部１０は、通信が終了した場合、生理量データの測定および音声データの録音を終了し、測定された生理量データおよび録音された音声データを診断者ＤＯの診断コンピュータ１００ＰＣに送信する（ステップＳ５０５）。これにより、本実施の形態に係る通信プログラムによる携帯電話機１００の動作が終了する。
【０５３３】
なお、本実施の形態に係る通信システム７００において、携帯電話機１００は、上記ステップＳ５００〜Ｓ５０５の一連の動作の後、生理量データおよび音声データに基づく診断者ＤＯの健康状態に関するアドバイスを受信する。
【０５３４】
ところで、携帯電話機１００の制御部１０は、上記ステップＳ５００において、ストレス診断モードがオンしない場合、患者ＰＡが入力操作部１１を操作することにより診断者ＤＯの診断用電話機１００Ｘに対する発信の旨の指令信号を受けたか否かを判別する（ステップＳ５１０）。
【０５３５】
そして、制御部１０は、発信の旨の指令信号を受けた場合、その指令信号に基づく所定の動作を行い、診断者ＤＯから応答があったか否かを判別する（ステップＳ５１１）。その後、制御部１０は、診断者ＤＯから応答があった場合、通信が終了したか否かを判別する（ステップＳ５１２）。制御部１０は、通信が終了した場合、本実施の形態に係る通信プログラムを終了する。
【０５３６】
なお、上記では診断者ＤＯは患者ＰＡへのアドバイスを電子メールを用いて携帯電話機１００に送信しているが、これに限らず、診断者ＤＯは患者ＰＡへのアドバイスを直接携帯電話機１００を用いて伝えてもよい。
【０５３７】
（第８の実施の形態における他の通信プログラムの例）
上記第８の実施の形態に係る通信プログラムは上述の図５７および図５８の説明によるものに限られない。以下、第８の実施の形態に係る通信プログラムの他の例について説明する。
【０５３８】
図５９は、他の通信プログラムを用いた場合の第８の実施の形態に係る通信システムの概要を説明するための図である。この場合の通信システム７００ｂによれば、患者ＰＡは携帯電話機１００を用いて診断者と通話することにより、その通話時の生体情報をその通話中に診断者ＤＯに送信することができる。
【０５３９】
図５９（ａ）は、患者ＰＡと診断者ＤＯとの間で通話が開始される様子を表す。図５９（ａ）に示すように、患者ＰＡは携帯電話機１００を用いている。また、診断者ＤＯは診断用電話機１００Ｘを用いている。
【０５４０】
図５９（ｂ）は、患者ＰＡと診断者ＤＯとの通話時の様子を表す。患者ＰＡと診断者ＤＯとの通話時において、携帯電話機１００は使用者の生体情報を検出する。ここで、携帯電話機１００は、診断者ＤＯの診断用電話機１００Ｘに対して通話に関するデータの送受信を行うとともに、検出された生体情報を電子メールＤＡ１として診断者ＤＯの診断コンピュータ１００ＰＣへ送信する。
【０５４１】
これにより、診断者ＤＯは、患者ＰＡとの通話中に、電子メールＤＡ１に基づいて患者ＰＡの生体情報を診断コンピュータ１００ＰＣにより確認することができる。それにより、診断者ＤＯは患者ＰＡの生体情報およびその生体情報の検出された通話中の通話内容に基づいて患者ＰＡの健康状態を分析することができる。
【０５４２】
図５９（ｃ）は、診断者ＤＯが患者ＰＡに対して健康状態に関するアドバイスを行う様子を表す。診断者ＤＯは、患者ＰＡの健康状態を分析するとともに、その健康状態に対するアドバイスを診断コンピュータ１００ＰＣを用いて電子メールＤＡ２により患者ＰＡの携帯電話機１００に送信する。
【０５４３】
このように、本実施の形態に係る通信システム７００ｂにおいても、診断者ＤＯは通話中の患者ＰＡの生体情報および通話内容に基づいて患者ＰＡの健康状態を分析することができるので、患者ＰＡへ健康状態に関する正確なアドバイスを行うことができる。一方、患者ＰＡは送信された電子メールＤＡ２に基づいて、自己の健康状態に関する正確なアドバイスを得ることができる。
【０５４４】
本例に係る通信プログラムについて説明する。図６０は第８の実施の形態に係る通信プログラムの他の例を示すフローチャートである。
【０５４５】
本例の通信プログラムによれば、図２の携帯電話機１００の制御部１０は、次のように動作する。
【０５４６】
初めに、制御部１０は、上記ステップＳ５００〜Ｓ５０２の動作を行う。そして、制御部１０は、上記ステップＳ５０２において応答があった場合、生体情報の検出、すなわち、生理量データの測定および音声データの録音を行うとともに、測定された生理量データおよび録音された音声データを診断者ＤＯの診断コンピュータ１００ＰＣに送信する（ステップＳ５２０）。
【０５４７】
その後、制御部１０は通信が終了したか否かを判別する（ステップＳ５２１）。制御部１０は、通信が終了しない場合、上記ステップＳ５２０の動作を繰り返す。
【０５４８】
一方、制御部１０は、通信が終了した場合、生理量データの測定および音声データの録音を終了し、生理量データおよび音声データの診断コンピュータ１００ＰＣへの送信動作を終了する（ステップＳ５２２）。これにより、本例に係る通信プログラムによる携帯電話機１００の動作が終了する。
【０５４９】
なお、上記通信システム７００ｂにおいても、携帯電話機１００は、上記ステップＳ５００〜Ｓ５０２，Ｓ５２０〜Ｓ５２２の一連の動作の後、生理量データおよび音声データに基づく診断者ＤＯの健康状態に関するアドバイスを受信する。
【０５５０】
携帯電話機１００の制御部１０は、上記ステップＳ５００において、ストレス診断モードがオンしない場合、上記ステップＳ５１０〜Ｓ５１２と同様の動作を行う。
【０５５１】
なお、上記では診断者ＤＯは患者ＰＡへのアドバイスを電子メールを用いて携帯電話機１００に送信しているが、これに限らず、診断者ＤＯは患者ＰＡへのアドバイスを直接携帯電話機１００を用いて伝えてもよい。
【０５５２】
以上、本実施の形態に係る通信システム７００，７００ｂにおいては、患者ＰＡが携帯電話機１００の無線通信部３０およびアンテナ３１により診断用電話機１００Ｘを有する診断者ＤＯと通話を行っているときに、生理量データ測定部２０、通話用スピーカ１５ｂおよび制御部１０により使用者の生体情報が検出される。そして、無線通信部３０およびアンテナ３１による診断者ＤＯとの通話中または通話終了後に、検出された生体情報に基づく情報が無線通信部３０およびアンテナ３１により診断コンピュータ１００ＰＣに送信される。それにより、診断者ＤＯは、診断コンピュータ１００ＰＣに送信された情報に基づいて使用者の健康状態を分析することができる。
【０５５３】
診断者は、分析結果に基づくアドバイスを診断用電話機１００Ｘによる通話または診断コンピュータ１００ＰＣによる情報の通信により携帯電話機１００に送信することができる。それにより、患者ＰＡは、診断者ＤＯとの会話による分析結果に基づくアドバイスを容易に受けることができる。
【０５５４】
なお、診断用電話機１００Ｘと診断コンピュータ１００ＰＣとが一体的に設けられてもよい。
【０５５５】
なお、本実施の形態では、使用者として患者ＰＡを想定し、通信相手として診断者ＤＯを想定しているが、使用者と通信相手との関係はこれに限られない。
【０５５６】
（第９の実施の形態）
第９の実施の形態に係る携帯電話機１００は、以下の点を除き第１の実施の形態に係る携帯電話機１００と同様の構成および動作を有する。
【０５５７】
本実施の形態に係る携帯電話機１００には、図３の補正データ記憶部１２６に後述の補正テーブルが記憶されている。
【０５５８】
携帯電話機１００は、第１の実施の形態と同様に、使用者の通話中に生体情報を検出する。ここで、本実施の形態では、検出された生体情報のうち、生理量データのＧＳＲ測定値が、補正テーブルにより補正される。その結果、携帯電話機１００は環境状態に影響を受けることなく、使用者の心理状態（緊張の度合い）を正確に推定することができる。
【０５５９】
補正テーブルについて説明する。図６１は、図３の補正データ記憶部１２６に記憶される内容の一例を示す図である。
【０５６０】
図６１の補正テーブルにおいては、携帯電話機１００の使用地域および使用時期ごとにＧＳＲ測定値補正量ＣＰ１〜ＣＰ３，ＣＱ１〜ＣＱ３，ＣＲ１〜ＣＲ３が設定されている。
【０５６１】
一般に、ＧＳＲ測定値は環境状態に応じて変化すると考えられており、環境状態として気温が低い場合にはＧＳＲは低くなり、気温が高い場合にはＧＳＲは高くなるとされている。
【０５６２】
上記のＧＳＲ測定値補正量は、例えば、ＣＰ１，ＣＰ２，ＣＰ３の順に小さく、ＣＱ１，ＣＱ２，ＣＱ３の順に小さく、ＣＲ１，ＣＲ２，ＣＲ３の順に小さく設定される。また、ＧＳＲ測定値補正量は、ＣＰ１，ＣＱ１，ＣＲ１の順に小さく、ＣＰ２，ＣＱ２，ＣＲ２の順に小さく、ＣＰ３，ＣＱ３，ＣＲ３の順に小さく設定される。
【０５６３】
例えば、使用地域「北海道」においては、使用時期「春」にＧＳＲ測定値補正量ＣＰ２が対応付けられ、使用時期「夏」にＧＳＲ測定値補正量ＣＰ３が対応付けられ、使用時期「秋」にＧＳＲ測定値補正量ＣＰ２が対応付けられ、使用時期「冬」にＧＳＲ測定値補正量ＣＰ１が対応付けられる。
【０５６４】
これにより、使用者が北海道で春に携帯電話機１００を使用する際には、図２０の生理量データ測定部２０によるＧＳＲ測定値が図６１の補正テーブルに基づいてＧＳＲ測定値補正量ＣＰ２で補正される。その結果、携帯電話機１００は補正されたＧＳＲ測定値に基づいて正確に使用者の心理状態の推定を行うことができる。
【０５６５】
上記において、携帯電話機１００は通信基地局からの情報に基づいて使用地域を特定してもよい。また、携帯電話機１００は、制御部１０が現在の年月日および時分についての管理機能を有することにより、使用時期を特定してもよい。
【０５６６】
ここで、携帯電話機１００による使用地域の特定方法について説明する。図６２は、第９の実施の形態に係る携帯電話機１００が使用地域を特定する方法の一例を示す図である。
【０５６７】
図６２に示すように、通信基地局８００は、例えば、無線通信部８１０、アンテナ８１１、制御部８２０および基地局通信装置８３０を含む。通信基地局８００は、無線通信部８１０およびアンテナ８１１を通じて使用者の携帯電話機１００と通信が可能であり、各種情報の送受信を行うことができる。
【０５６８】
制御部８２０は、ＣＰＵ等を含み、無線通信部８１０および基地局通信装置８３０の動作を制御する。基地局通信装置８３０は、公衆回線網９００に接続されている。
【０５６９】
例えば、使用者が携帯電話機１００を用いて他の電話機と通話する場合、使用者の音声データは、通信基地局８００および公衆回線網９００を通じて他の電話機に送られる。
【０５７０】
通信基地局８００は、各地域ごとに複数設置されている。携帯電話機１００の使用時において、携帯電話機１００は複数の通信基地局８００のうち近くに位置する通信基地局８００と通信を行う。
【０５７１】
そして、各々の通信基地局８００は自己の所在地に関する情報を使用者の携帯電話機１００に送信することができる。これにより、携帯電話機１００は通信基地局８００からの所在地に関する情報に基づいて使用地域を特定することができる。
【０５７２】
しかしながら、使用地域の特定方法は上記に限られず、使用者の図２の入力操作部１１の操作により行われてもよい。
【０５７３】
本実施の形態では、補正テーブルの一例として、ＧＳＲ測定値補正量について説明したが、これに限らず、補正テーブルには、使用者の生理量データから得られる皮膚温度および脈拍についての補正量が設定されてもよい。この場合、複数の生理量データについて、各々の測定値が補正されるので、心理状態の推定がより正確となる。
【０５７４】
補正テーブルには、使用者の音声データを解析して得られるトーン、抑揚およびジッタの各々についての補正量が設定されてもよい。これにより、携帯電話機１００が音声データに基づいて使用者の心理状態を推定する場合に音声データにより得られるパラメータの補正が行われるので、心理状態の推定がより正確となる。
【０５７５】
上記では、携帯電話機１００の使用地域および使用時期に基づいてＧＳＲ補正量の設定を行っているが、これに限らず、図１の携帯電話機１００に気温センサを設け、気温センサにより得られる測定値に基づいてＧＳＲ補正量の設定を行ってもよい。
【０５７６】
本実施の形態において、補正テーブルに基づいて生理量データの測定値を補正しているが、これに限らず、第１の実施の形態の心理状態レベルを環境状態に応じて補正してもよい。
【０５７７】
上述のＧＳＲ測定値補正量は、それぞれ予め特定の値を定めることにより設定されてもよいし、各使用者の健康状態および性格等の特徴に応じて使用者ごとに設定されてもよい。
【０５７８】
上記第１〜第８の実施の形態に係る携帯電話機１００においても、上記と同様に生理量データまたは心理状態レベルを補正してもよい。この場合、第１〜第８の実施の形態に係る携帯電話機１００には、使用者の心理状態（緊張の度合い、喜怒哀楽の度合いおよびうその度合い等）を推定するために用いる生理量データおよび音声データの解析結果に応じて、各々に対応する補正テーブルが設定されることが好ましい。
【０５７９】
以上、本実施の形態においては、環境状態に関する情報が制御部１０，無線通信部３０およびアンテナ３１により取得され、取得された情報に基づいて検出された使用者の生体情報が制御部１０により補正される。それにより、環境状態に応じて変化する使用者の生体情報を正確に取得することができる。その結果、携帯電話機１００は、正確な生体情報に基づいて、正確に使用者の心理状態を推定することができる。
【０５８０】
以上、第１〜第９の実施の形態において、携帯電話機１００は通信装置に相当し、無線通信部３０およびアンテナ３１は通信手段に相当し、入力操作部１１は操作手段に相当し、信号処理部１８、生理量データ測定部２０、電極２０ａ，２０ｄ、サーミスタ２０ｂ、フォトセンサ２０ｃおよび通話用スピーカ１５ｂは検出手段に相当する。
【０５８１】
また、制御部１０は制御手段に相当し、通話用スピーカ１５ｂ、マイクロホン１６、信号処理部１８、無線通信部３０およびアンテナ３１は通話手段に相当し、制御部１０は判別手段に相当し、制御部１０、無線通信部３０およびアンテナ３１は電子メール通信手段に相当し、入力操作部１１およびメイン表示部１３は電子メール操作部に相当する。
【０５８２】
さらに、制御部１０は推定手段に相当し、制御部１０は挿入手段に相当し、スピーカ１５ａおよび通話用スピーカ１５ｂは音声出力手段に相当し、メイン表示部１３およびサブ表示部１４は表示手段に相当し、メイン表示部１３、スピーカ１５ａおよび通話用スピーカ１５ｂは情報出力手段に相当し、メモリ１２および履歴データ格納部１２４は記憶手段に相当する。
【０５８３】
その上、制御部１０、無線通信部３０およびアンテナ３１は取得手段に相当し、制御部１０は補正手段に相当し、メモリ１２は音声記録手段に相当し、制御部１０は判定手段に相当する。
【０５８４】
また、携帯電話機１００は第１の通信装置に相当し、診断用電話機１００Ｘは第２の通信装置に相当し、診断コンピュータ１００ＰＣは情報処理装置に相当し、通信システム７００，７００ｂは通信システムに相当し、第２の筐体２は筐体に相当する。
【産業上の利用可能性】
【０５８５】
本発明は、通信相手に依存する使用者の心理状態の推定等に有効に利用可能である。
【図面の簡単な説明】
【０５８６】
【図１】第１の実施の形態に係る携帯電話機の外観図である。
【図２】第１の実施の形態に係る携帯電話機の構成を示すブロック図である。
【図３】図２のメモリの内部構成の一例を示す図である。
【図４】図３の動作設定記憶部に記憶される内容の一例を示す図である。
【図５】図３の心理状態推定テーブル格納部に記憶される内容の一例を示す図である。
【図６】図３の個人情報データ格納部に記憶される内容の一例を示す図である。
【図７】図３の履歴データ格納部に記憶される内容の一例を示す図である。
【図８】使用者が第１の実施の形態に係る携帯電話機を使用する場合にメイン表示部に表示される内容の一例を表す図である。
【図９】使用者が第１の実施の形態に係る携帯電話機を使用する場合にメイン表示部に表示される内容の一例を表す図である。
【図１０】第１の実施の形態に係る通信プログラムの一例を示すフローチャートである。
【図１１】第１の実施の形態に係る通信プログラムの一例を示すフローチャートである。
【図１２】図３の音声解析テーブル格納部に記憶される内容の一例を示す図である。
【図１３】図３の動作設定記憶部に記憶される内容の一例を示す図である。
【図１４】使用者が第２の実施の形態に係る携帯電話機を使用する場合にメイン表示部に表示される内容の一例を表す図である。
【図１５】使用者が第２の実施の形態に係る携帯電話機を使用する場合にメイン表示部に表示される内容の一例を表す図である。
【図１６】第２の実施の形態に係る通信プログラムの一例を示すフローチャートである。
【図１７】第２の実施の形態に係る通信プログラムの一例を示すフローチャートである。
【図１８】第２の実施の形態に係る通信プログラムの一例を示すフローチャートである。
【図１９】図３の動作設定記憶部に記憶される内容の一例を示す図である。
【図２０】使用者が第３の実施の形態に係る携帯電話機を使用する場合にメイン表示部に表示される内容の一例を表す図である。
【図２１】第３の実施の実施の形態に係る通信プログラムの一例を示すフローチャートである。
【図２２】第３の実施の実施の形態に係る通信プログラムの一例を示すフローチャートである。
【図２３】第３の実施の実施の形態に係る通信プログラムの一例を示すフローチャートである。
【図２４】使用者の喜怒哀楽の度合いを推定するためのデータの抽出方法を説明するための図である。
【図２５】図３の心理状態推定テーブル格納部および音声解析テーブル格納部に記憶される内容の一例を示す図である。
【図２６】図３の心理状態推定テーブル格納部に記憶される内容の一例を示す図である。
【図２７】測定により得られたＧＳＲ差分値ならびに音声データの解析により得られたトーン、抑揚およびジッタの組合せから喜怒哀楽の度合いを推定する場合の一例を説明するための図である。
【図２８】使用者が第４の実施の形態に係る携帯電話機を使用する場合にメイン表示部に表示される内容の一例を表す図である。
【図２９】第４の実施の形態に係る通信プログラムの一例を示すフローチャートである。
【図３０】第４の実施の形態に係る通信プログラムの一例を示すフローチャートである。
【図３１】第４の実施の形態に係る通信プログラムの一例を示すフローチャートである。
【図３２】図３の動作設定記憶部に記憶される内容の一例を示す図である。
【図３３】使用者が第５の実施の形態に係る携帯電話機を使用する場合にメイン表示部に表示される内容の一例を表す図である。
【図３４】使用者が第５の実施の形態に係る携帯電話機を使用する場合にメイン表示部に表示される内容の一例を表す図である。
【図３５】第５の実施の形態に係る通信プログラムの一例を示すフローチャートである。
【図３６】第５の実施の形態に係る通信プログラムの一例を示すフローチャートである。
【図３７】使用者の通話中の生理量データの変化に基づいて特定の期間の音声データを抽出する方法を説明するための図である。
【図３８】使用者が第６の実施の形態に係る携帯電話機を使用する場合にメイン表示部に表示される内容の一例を表す図である。
【図３９】第６の実施の形態に係る通信プログラムの一例を示すフローチャートである。
【図４０】第６の実施の形態に係る通信プログラムの一例を示すフローチャートである。
【図４１】第６の実施の形態に係る通信プログラムの一例を示すフローチャートである。
【図４２】第６の実施の形態に係る通信プログラムの他の例を示すフローチャートである。
【図４３】第６の実施の形態に係る通信プログラムの他の例を示すフローチャートである。
【図４４】第６の実施の形態に係る通信プログラムの他の例を示すフローチャートである。
【図４５】図３の音声解析テーブル格納部に記憶される内容の一例および使用者の回答がうそであるか否かの判定方法を説明するための図である。
【図４６】図３の動作設定記憶部に記憶されるうそ通知動作設定テーブルの一例を示す図である。
【図４７】使用者の回答のうその度合いを判定するための判定方法を説明するための図および図３の動作設定記憶部に記憶されるうそ通知動作設定テーブルの他の例を示す図である。
【図４８】過去のうその診断結果を含む履歴データの一例を示す図である。
【図４９】使用者が第７の実施の形態に係る携帯電話機を使用する場合にメイン表示部に表示される内容の一例を表す図である。
【図５０】使用者が第７の実施の形態に係る携帯電話機を使用する場合にメイン表示部に表示される内容の一例を表す図である。
【図５１】第７の実施の形態に係る通信プログラムの一例を示すフローチャートである。
【図５２】第７の実施の形態に係る通信プログラムの一例を示すフローチャートである。
【図５３】第７の実施の形態に係る通信プログラムの一例を示すフローチャートである。
【図５４】第８の実施の形態に係る通信システムの概要を説明するための図である。
【図５５】患者が第８の実施の形態に係る通信システムの携帯電話機を使用する場合にメイン表示部に表示される内容の一例を表す図である。
【図５６】患者が第８の実施の形態に係る通信システムの携帯電話機を使用する場合にメイン表示部に表示される内容の一例を表す図である。
【図５７】第８の実施の形態に係る通信プログラムの一例を示すフローチャートである。
【図５８】第８の実施の形態に係る通信プログラムの一例を示すフローチャートである。
【図５９】他の通信プログラムを用いた場合の第８の実施の形態に係る通信システムの概要を説明するための図である。
【図６０】第８の実施の形態に係る通信プログラムの他の例を示すフローチャートである。
【図６１】図３の補正データ記憶部に記憶される内容の一例を示す図である。
【図６２】第９の実施の形態に係る携帯電話機が使用地域を特定する方法の一例を示す図である。
【符号の説明】
【０５８７】
１  第１の筐体
２  第２の筐体
１０  制御部
１１  入力操作部
１２  メモリ
１３  メイン表示部
１４  サブ表示部
１５ａ  スピーカ
１５ｂ  通話用スピーカ
１６  マイクロホン
１８  信号処理部
２０  生理量データ測定部
２０ａ，２０ｄ  電極
２０ｂ  サーミスタ
２０ｃ  フォトセンサ
３０  無線通信部
３１  アンテナ
１００  携帯電話機
１００Ｘ  診断用電話機
１００ＰＣ  診断コンピュータ
１２４  履歴データ格納部
７００，７００ｂ  通信システム
【図１】
2005244375.tif 000003
【図２】
2005244375.tif 000004
【図３】
2005244375.tif 000005
【図４】
2005244375.tif 000006
【図５】
2005244375.tif 000007
【図６】
2005244375.tif 000008
【図７】
2005244375.tif 000009
【図８】
2005244375.tif 000010
【図９】
2005244375.tif 000011
【図１０】
2005244375.tif 000012
【図１１】
2005244375.tif 000013
【図１２】
2005244375.tif 000014
【図１３】
2005244375.tif 000015
【図１４】
2005244375.tif 000016
【図１５】
2005244375.tif 000017
【図１６】
2005244375.tif 000018
【図１７】
2005244375.tif 000019
【図１８】
2005244375.tif 000020
【図１９】
2005244375.tif 000021
【図２０】
2005244375.tif 000022
【図２１】
2005244375.tif 000023
【図２２】
2005244375.tif 000024
【図２３】
2005244375.tif 000025
【図２４】
2005244375.tif 000026
【図２５】
2005244375.tif 000027
【図２６】
2005244375.tif 000028
【図２７】
2005244375.tif 000029
【図２８】
2005244375.tif 000030
【図２９】
2005244375.tif 000031
【図３０】
2005244375.tif 000032
【図３１】
2005244375.tif 000033
【図３２】
2005244375.tif 000034
【図３３】
2005244375.tif 000035
【図３４】
2005244375.tif 000036
【図３５】
2005244375.tif 000037
【図３６】
2005244375.tif 000038
【図３７】
2005244375.tif 000039
【図３８】
2005244375.tif 000040
【図３９】
2005244375.tif 000041
【図４０】
2005244375.tif 000042
【図４１】
2005244375.tif 000043
【図４２】
2005244375.tif 000044
【図４３】
2005244375.tif 000045
【図４４】
2005244375.tif 000046
【図４５】
2005244375.tif 000047
【図４６】
2005244375.tif 000048
【図４７】
2005244375.tif 000049
【図４８】
2005244375.tif 000050
【図４９】
2005244375.tif 000051
【図５０】
2005244375.tif 000052
【図５１】
2005244375.tif 000053
【図５２】
2005244375.tif 000054
【図５３】
2005244375.tif 000055
【図５４】
2005244375.tif 000056
【図５５】
2005244375.tif 000057
【図５６】
2005244375.tif 000058
【図５７】
2005244375.tif 000059
【図５８】
2005244375.tif 000060
【図５９】
2005244375.tif 000061
【図６０】
2005244375.tif 000062
【図６１】
2005244375.tif 000063
【図６２】
2005244375.tif 000064